(57)【特許請求の範囲】
【請求項１】
入力される検索入力情報に基づいて、少なくとも施設の特徴に関する特徴情報を含む複数の施設情報を記憶する施設情報記憶手段から、所望の上記施設情報である第一施設情報を検索する第一検索手段と、
上記第一施設情報から複数の上記特徴情報を取得する特徴情報取得手段と、
取得した上記複数の上記特徴情報を提示する提示手段と、
提示された上記複数の上記特徴情報のうちの一部をユーザに選択させる選択手段と、
上記選択された一部の上記特徴情報のみに基づいて、上記施設情報記憶手段から第二施設情報を検索する第二検索手段と、
上記第二施設情報を出力させる施設情報出力手段と、
を備えたことを特徴とする、施設情報提供システム。   
【請求項２】
請求項１に記載の施設情報提供システムにおいて、上記施設情報出力手段は、上記第一施設情報と上記第二施設情報とを区別可能に出力させることを特徴とする、施設情報提供システム。  
【請求項３】
請求項１または２に記載の施設情報提供システムにおいて、上記特徴情報には、上記施設を分類するためのカテゴリに関するカテゴリ情報が含まれており、上記特徴情報取得手段は、各々の上記カテゴリ情報が含まれている上記施設情報の数に基づいて、上記第一施設情報から少なくとも一つの上記カテゴリ情報を取得することを特徴とする、施設情報提供システム。  
【請求項４】
請求項１から３のいずれか一つに記載の施設情報提供システムにおいて、上記特徴情報取得手段は、上記第一施設情報から上記特徴情報が複数取得される場合には、当該複数の上記特徴情報から、上記第二検索手段による検索対象とする上記特徴情報を設定する検索特徴情報設定手段を備えたこと、および／または、上記施設情報出力手段は、上記第二施設情報が複数の上記特徴情報を含む場合に、当該複数の上記特徴情報から、出力対象とする上記特徴情報を設定する出力特徴情報設定手段を備えたことを特徴とする、施設情報提供システム。  
【請求項５】
請求項４に記載の施設情報提供システムにおいて、上記特徴情報には、当該特徴情報とは異なる他の上記特徴情報との関連性または上記施設情報との関連性に応じて予め設定された優先度に関する優先度情報が含まれており、上記検索特徴情報設定手段は、上記優先度情報に基づいて、上記検索対象とする上記特徴情報を設定すること、および／または、上記出力特徴情報設定手段は、上記優先度情報に基づいて、上記出力対象とする上記特徴情報を設定することを特徴とする、施設情報提供システム。  
【請求項６】
請求項４または５に記載の施設情報提供システムにおいて、上記検索特徴情報設定手段は、上記検索対象とする上記特徴情報を、当該特徴情報が含まれている上記施設情報の数に基づいて設定すること、および／または、上記出力特徴情報設定手段は、上記出力対象とする上記特徴情報を、当該特徴情報が含まれている上記施設情報の数に基づいて設定することを特徴とする、施設情報提供システム。  
【請求項７】
施設情報提供システムにおいて実行される施設情報提供方法であって、
上記施設情報提供システムは、第一検索手段と、特徴情報取得手段と、提示手段と、選択手段と、第二検索手段と、施設情報出力手段と、を備え、
上記第一検索手段が、入力される検索入力情報に基づいて、少なくとも施設の特徴に関する特徴情報を含む複数の施設情報を記憶する施設情報記憶手段から、所望の上記施設情報である第一施設情報を検索する第一検索ステップと、
上記特徴情報取得手段が、上記第一施設情報から複数の上記特徴情報を取得する特徴情報取得ステップと、
上記提示手段が、取得した上記複数の上記特徴情報を提示する提示ステップと、
上記選択手段が、提示された上記複数の上記特徴情報のうちの一部をユーザに選択させる選択ステップと、
上記第二検索手段が、上記選択された一部の上記特徴情報のみに基づいて、上記施設情報記憶手段から第二施設情報を検索する第二検索ステップと、
上記施設情報出力手段が、上記第二施設情報を出力させる施設情報出力ステップと、
を含むことを特徴とする、施設情報提供方法。
【請求項８】
端末装置に通信可能に接続されたサーバ装置に実行させるためのプログラムであって、
上記端末装置から送信される検索入力情報を受信する検索入力情報受信ステップと、
受信した検索入力情報に基づいて、少なくとも施設の特徴に関する特徴情報を含む複数の施設情報を記憶する施設情報記憶手段から、所望の上記施設情報である第一施設情報を検索する第一検索ステップと、
上記第一施設情報から複数の上記特徴情報を取得する特徴情報取得ステップと、
取得した上記複数の上記特徴情報を提示する提示ステップと、
提示された上記複数の上記特徴情報のうちの一部をユーザに選択させる選択ステップと、
上記選択された一部の上記特徴情報のみに基づいて、上記施設情報記憶手段から第二施設情報を検索する第二検索ステップと、
上記第二施設情報を含む施設情報を出力させるための出力制御情報を上記端末装置に送信することにより、当該施設情報を出力させる施設情報出力制御ステップと、
を実行させるためのプログラム。  
【請求項９】
施設情報提供装置に実行させるためのプログラムであって、
入力される検索入力情報に基づいて、少なくとも施設の特徴に関する特徴情報を含む複数の施設情報を記憶する施設情報記憶手段から、所望の上記施設情報である第一施設情報を検索する第一検索ステップと、
上記第一施設情報から複数の上記特徴情報を取得する特徴情報取得ステップと、
取得した上記複数の上記特徴情報を提示する提示ステップと、
提示された上記複数の上記特徴情報のうちの一部をユーザに選択させる選択ステップと、
上記選択された一部の上記特徴情報のみに基づいて、上記施設情報記憶手段から第二施設情報を検索する第二検索ステップと、
上記第二施設情報を出力させる施設情報出力ステップと、
を実行させるためのプログラム。
【発明の詳細な説明】
【技術分野】
【０００１】
本発明は、施設情報提供装置、施設情報提供システム、サーバ装置、端末装置、施設情報提供方法、およびプログラムに関する。 
【背景技術】
【０００２】
所望の施設を検索する技術が広く知られている。例えば、特許文献１には、検索結果の中から、ばらつきの大きい属性を選択することで、検索結果の絞込みを効率的に行う技術が開示されている。また、特許文献２には、表示画面中にアイコン切替ボタンを設け、選択した種類の施設アイコンのみを表示する技術が開示されている。 
【先行技術文献】
【特許文献】
【０００３】
【特許文献１】特開平７−８５０６９号公報
【特許文献２】特開２００７−１７２６９号公報
【発明の概要】
【発明が解決しようとする課題】
【０００４】
ここで、従来技術を用いて施設の検索を行う場合には、「まず、広めの検索範囲を設定して検索を行い、その後に、検索範囲を徐々に絞っていく」という方法が考えられる。例えば、「ハンバーガーショップに行きたい」と考えている利用者が近くのハンバーガーショップを検索する場合、施設を検索する方法の一つとして、「まず、ハンバーガーショップが含まれると考えられるカテゴリ「ファストフード」で周辺検索を行い、その上で、重視する属性（例えば、距離、価格、または評価など）で検索結果を絞り込んだり、地図表示を切り替えたりすることで、目的の施設を検索する」という方法が挙げられる。 
【０００５】
しかしながら、従来技術は、以下の（１）から（３）に示す問題点を有していた。 
【０００６】
（１）ハンバーガーショップがカテゴリ「ファストフード」に含まれるということを利用者が知らなければ、上述した方法では目的の施設を検索することができない。特に、業種によってはカテゴリを分類し難い場合や、利用者が認識するカテゴリと検索システムが分類したカテゴリとが異なる場合もある。どの業種がどのカテゴリに分類されているのかは、利用者が正しく把握していない場合も少なくない。そのため、利用者は、検索システムの施設分類（業種とカテゴリ構造との関係性）等を正しく理解していなければ、目的とする施設情報を検索することができない。 
【０００７】
（２）ハンバーガーショップとして利用者が特定の施設名「○○バーガー」を想起する場合もある。特に、業種や営業形態等によっては、カテゴリが分からず、代表的な施設名のみが想起される場合もある。この場合、「○○バーガー」という施設名で検索を行うと、これ以外のハンバーガーショップを検索することができない。そのため、利用者は、目的に合致する多様な施設情報を得ることができない。 
【０００８】
（３）「ハンバーガーショップに行きたい」というのは、「タバコを吸える施設に行きたい」という欲求を満たすための単なる具体例の一つである場合がある。この場合には、タバコを吸える施設として想起された一例であるハンバーガーショップは検索できるものの、タバコを吸えるその他の施設を検索することができない。そのため、利用者は、目的に合致する多様な施設情報を得ることができなかった。また、欲求を満たすことができるその他の施設を検索するためには、ハンバーガーショップ以外の、タバコを吸える施設を想起する必要があった。 
【０００９】
本発明は、上記問題点に鑑みてなされたもので、利用者が望む施設情報を広く提供することができる、施設情報提供装置、施設情報提供システム、サーバ装置、端末装置、施設情報提供方法、および、プログラムを提供することを目的とする。 
【課題を解決するための手段】
【００１０】
このような目的を達成するため、本発明の施設情報提供システムは、記憶部と制御部とを備えたサーバ装置と、制御部と出力部とを備えた端末装置とを通信可能に接続した施設情報提供システムであって、上記サーバ装置の上記記憶部は、施設を識別するための施設識別情報と上記施設の特徴に関する特徴情報とを含む複数の施設情報を記憶する施設情報記憶手段を備え、上記サーバ装置の上記制御部は、上記端末装置から送信される、所望の上記施設を検索するために予め入力された検索入力情報を受信する検索入力情報受信手段と、上記施設情報記憶手段に記憶された上記複数の上記施設情報から、上記検索入力情報が上記施設識別情報または上記特徴情報に含まれている上記施設情報である第一施設情報を検索する第一検索手段と、上記第一検索手段により検索された上記第一施設情報から上記特徴情報を取得する特徴情報取得手段と、上記施設情報記憶手段に記憶された上記複数の上記施設情報から、上記特徴情報取得手段により取得された上記特徴情報と同じものを含む上記施設情報である第二施設情報を検索する第二検索手段と、上記第二検索手段により検索された上記第二施設情報を含む施設情報を上記端末装置に送信する施設情報送信手段と、を備え、上記端末装置の上記制御部は、上記検索入力情報を上記サーバ装置に送信する検索入力情報送信手段と、上記サーバ装置から送信される、上記施設情報を受信する施設情報受信手段と、上記施設情報受信手段により受信された上記施設情報を上記出力部に出力させる施設情報出力手段と、を備えたことを特徴とする。 
【００１１】
また、本発明の施設情報提供システムは、上記記載の施設情報提供システムにおいて、上記施設情報出力手段は、上記第一施設情報と上記第二施設情報とを区別可能に上記出力部に出力させることを特徴とする。 
【００１２】
また、本発明の施設情報提供システムは、上記記載の施設情報提供システムにおいて、上記特徴情報には、上記施設を分類するためのカテゴリに関するカテゴリ情報が含まれており、上記特徴情報取得手段は、各々の上記カテゴリ情報が含まれている上記施設情報の数に基づいて、上記第一施設情報から少なくとも一つの上記カテゴリ情報を取得することを特徴とする。 
【００１３】
また、本発明の施設情報提供システムは、上記記載の施設情報提供システムにおいて、上記特徴情報取得手段は、上記第一施設情報から上記特徴情報が複数取得される場合には、当該複数の上記特徴情報から、上記第二検索手段による検索対象とする上記特徴情報を設定する検索特徴情報設定手段を備えたこと、および／または、上記施設情報出力手段は、上記第二施設情報が複数の上記特徴情報を含む場合に、当該複数の上記特徴情報から、出力対象とする上記特徴情報を設定する出力特徴情報設定手段を備えたことを特徴とする。 
【００１４】
また、本発明の施設情報提供システムは、上記記載の施設情報提供システムにおいて、上記特徴情報には、当該特徴情報とは異なる他の上記特徴情報との関連性または上記施設情報との関連性に応じて予め設定された優先度に関する優先度情報が含まれており、上記検索特徴情報設定手段は、上記優先度情報に基づいて、上記検索対象とする上記特徴情報を設定すること、および／または、上記出力特徴情報設定手段は、上記優先度情報に基づいて、上記出力対象とする上記特徴情報を設定することを特徴とする。 
【００１５】
また、本発明の施設情報提供システムは、上記記載の施設情報提供システムにおいて、上記検索特徴情報設定手段は、上記検索対象とする上記特徴情報を、当該特徴情報が含まれている上記施設情報の数に基づいて設定すること、および／または、上記出力特徴情報設定手段は、上記出力対象とする上記特徴情報を、当該特徴情報が含まれている上記施設情報の数に基づいて設定することを特徴とする。 
【００１６】
また、本発明の施設情報提供システムは、施設を識別するための施設識別情報と上記施設の特徴に関する特徴情報とを含む複数の施設情報を記憶する施設情報記憶手段と、上記施設情報記憶手段に記憶された上記複数の上記施設情報から、所望の上記施設を検索するために予め入力された検索入力情報が上記施設識別情報または上記特徴情報に含まれている上記施設情報である第一施設情報を検索する第一検索手段と、上記第一検索手段により検索された上記第一施設情報から上記特徴情報を取得する特徴情報取得手段と、上記施設情報記憶手段に記憶された上記複数の上記施設情報から、上記特徴情報取得手段により取得された上記特徴情報と同じものを含む上記施設情報である第二施設情報を検索する第二検索手段と、上記第二検索手段により検索された上記第二施設情報を出力部に出力させる施設情報出力手段と、を備えたことを特徴とする。 
【００１７】
また、本発明のサーバ装置は、出力部を備えた端末装置に通信可能に接続された、記憶部と制御部とを備えたサーバ装置であって、上記記憶部は、施設を識別するための施設識別情報と上記施設の特徴に関する特徴情報とを含む複数の施設情報を記憶する施設情報記憶手段を備え、上記制御部は、上記端末装置から送信される、所望の上記施設を検索するために予め入力された検索入力情報を受信する検索入力情報受信手段と、上記施設情報記憶手段に記憶された上記複数の上記施設情報から、上記検索入力情報が上記施設識別情報または上記特徴情報に含まれている上記施設情報である第一施設情報を検索する第一検索手段と、上記第一検索手段により検索された上記第一施設情報から上記特徴情報を取得する特徴情報取得手段と、上記施設情報記憶手段に記憶された上記複数の上記施設情報から、上記特徴情報取得手段により取得された上記特徴情報と同じものを含む上記施設情報である第二施設情報を検索する第二検索手段と、上記第二検索手段により検索された上記第二施設情報を含む施設情報を出力させるための出力制御情報を上記端末装置に送信することにより、当該施設情報を上記出力部に出力させる施設情報出力制御手段と、を備えたことを特徴とする。 
【００１８】
また、本発明の端末装置は、記憶部を備えたサーバ装置に通信可能に接続された、制御部と出力部とを備えた端末装置であって、上記記憶部は、施設を識別するための施設識別情報と上記施設の特徴に関する特徴情報とを含む複数の施設情報を記憶する施設情報記憶手段を備え、上記制御部は、所望の上記施設を検索するために予め入力された検索入力情報を上記サーバ装置に送信する検索入力情報送信手段と、上記サーバ装置から送信される、上記施設情報記憶手段に記憶された上記複数の上記施設情報から、上記検索入力情報が上記施設識別情報または上記特徴情報に含まれているとして検索された上記施設情報である第一施設情報について、上記施設情報記憶手段に記憶された上記複数の上記施設情報から、上記第一施設情報から取得された上記特徴情報と同じものを含む上記施設情報である第二施設情報を含む施設情報を受信する施設情報受信手段と、上記施設情報受信手段により受信された上記施設情報を上記出力部に出力させる施設情報出力手段と、を備えたことを特徴とする。 
【００１９】
また、本発明の施設情報提供装置は、制御部と記憶部と出力部とを備えた施設情報提供装置であって、上記記憶部は、施設を識別するための施設識別情報と上記施設の特徴に関する特徴情報とを含む複数の施設情報を記憶する施設情報記憶手段を備え、上記制御部は、上記施設情報記憶手段に記憶された上記複数の上記施設情報から、所望の上記施設を検索するために予め入力された検索入力情報が上記施設識別情報または上記特徴情報に含まれている上記施設情報である第一施設情報を検索する第一検索手段と、上記第一検索手段により検索された上記第一施設情報から上記特徴情報を取得する特徴情報取得手段と、上記施設情報記憶手段に記憶された上記複数の上記施設情報から、上記特徴情報取得手段により取得された上記特徴情報と同じものを含む上記施設情報である第二施設情報を検索する第二検索手段と、上記第二検索手段により検索された上記第二施設情報を上記出力部に出力させる施設情報出力手段と、を備えたことを特徴とする。 
【００２０】
また、本発明の施設情報提供方法は、記憶部と制御部とを備えたサーバ装置と、制御部と出力部とを備えた端末装置とを通信可能に接続した施設情報提供システムにおいて実行される施設情報提供方法であって、上記サーバ装置の上記記憶部は、施設を識別するための施設識別情報と上記施設の特徴に関する特徴情報とを含む複数の施設情報を記憶する施設情報記憶手段を備え、上記端末装置の上記制御部において実行される、所望の上記施設を検索するために予め入力された検索入力情報を上記サーバ装置に送信する検索入力情報送信ステップと、上記サーバ装置の上記制御部において実行される、上記端末装置から送信される、上記検索入力情報を受信する検索入力情報受信ステップと、上記サーバ装置の上記制御部において実行される、上記施設情報記憶手段に記憶された上記複数の上記施設情報から、上記検索入力情報が上記施設識別情報または上記特徴情報に含まれている上記施設情報である第一施設情報を検索する第一検索ステップと、上記サーバ装置の上記制御部において実行される、上記第一検索ステップにて検索された上記第一施設情報から上記特徴情報を取得する特徴情報取得ステップと、上記サーバ装置の上記制御部において実行される、上記施設情報記憶手段に記憶された上記複数の上記施設情報から、上記特徴情報取得ステップにて取得された上記特徴情報と同じものを含む上記施設情報である第二施設情報を検索する第二検索ステップと、上記サーバ装置の上記制御部において実行される、上記第二検索ステップにて検索された上記第二施設情報を含む施設情報を上記端末装置に送信する施設情報送信ステップと、上記端末装置の上記制御部において実行される、上記サーバ装置から送信される、上記施設情報を受信する施設情報受信ステップと、上記端末装置の上記制御部において実行される、上記施設情報受信ステップにて受信された上記施設情報を上記出力部に出力させる施設情報出力ステップと、を含むことを特徴とする。 
【００２１】
また、本発明の施設情報提供方法は、施設情報提供システムにおいて実行される施設情報提供方法であって、上記施設情報提供システムは、施設を識別するための施設識別情報と上記施設の特徴に関する特徴情報とを含む複数の施設情報を記憶する施設情報記憶手段と、第一検索手段と、特徴情報取得手段と、第二検索手段と、施設情報出力手段と、を備え、上記第一検索手段が、上記施設情報記憶手段に記憶された上記複数の上記施設情報から、所望の上記施設を検索するために予め入力された検索入力情報が上記施設識別情報または上記特徴情報に含まれている上記施設情報である第一施設情報を検索する第一検索ステップと、上記特徴情報取得手段が、上記第一検索ステップにて検索された上記第一施設情報から上記特徴情報を取得する特徴情報取得ステップと、上記第二検索手段が、上記施設情報記憶手段に記憶された上記複数の上記施設情報から、上記特徴情報取得ステップにて取得された上記特徴情報と同じものを含む上記施設情報である第二施設情報を検索する第二検索ステップと、上記施設情報出力手段が、上記第二検索ステップにて検索された上記第二施設情報を出力部に出力させる施設情報出力ステップと、を含むことを特徴とする。 
【００２２】
また、本発明の施設情報提供方法は、出力部を備えた端末装置に通信可能に接続された、記憶部と制御部とを備えたサーバ装置において実行される施設情報提供方法であって、上記記憶部は、施設を識別するための施設識別情報と上記施設の特徴に関する特徴情報とを含む複数の施設情報を記憶する施設情報記憶手段を備え、上記制御部において実行される、上記端末装置から送信される、所望の上記施設を検索するために予め入力された検索入力情報を受信する検索入力情報受信ステップと、上記施設情報記憶手段に記憶された上記複数の上記施設情報から、上記検索入力情報が上記施設識別情報または上記特徴情報に含まれている上記施設情報である第一施設情報を検索する第一検索ステップと、上記第一検索ステップにて検索された上記第一施設情報から上記特徴情報を取得する特徴情報取得ステップと、上記施設情報記憶手段に記憶された上記複数の上記施設情報から、上記特徴情報取得ステップにて取得された上記特徴情報と同じものを含む上記施設情報である第二施設情報を検索する第二検索ステップと、上記第二検索ステップにて検索された上記第二施設情報を含む施設情報を出力させるための出力制御情報を上記端末装置に送信することにより、当該施設情報を上記出力部に出力させる施設情報出力制御ステップと、を含むことを特徴とする。 
【００２３】
また、本発明の施設情報提供方法は、記憶部を備えたサーバ装置に通信可能に接続された、制御部と出力部とを備えた端末装置において実行される施設情報提供方法であって、上記記憶部は、施設を識別するための施設識別情報と上記施設の特徴に関する特徴情報とを含む複数の施設情報を記憶する施設情報記憶手段を備え、上記制御部において実行される、所望の上記施設を検索するために予め入力された検索入力情報を上記サーバ装置に送信する検索入力情報送信ステップと、上記サーバ装置から送信される、上記施設情報記憶手段に記憶された上記複数の上記施設情報から、上記検索入力情報が上記施設識別情報または上記特徴情報に含まれているとして検索された上記施設情報である第一施設情報について、上記施設情報記憶手段に記憶された上記複数の上記施設情報から、上記第一施設情報から取得された上記特徴情報と同じものを含む上記施設情報である第二施設情報を含む施設情報を受信する施設情報受信ステップと、上記施設情報受信ステップにて受信された上記施設情報を上記出力部に出力させる施設情報出力ステップと、を含むことを特徴とする。 
【００２４】
また、本発明の施設情報提供方法は、制御部と記憶部と出力部とを備えた施設情報提供装置において実行される施設情報提供方法であって、上記記憶部は、施設を識別するための施設識別情報と上記施設の特徴に関する特徴情報とを含む複数の施設情報を記憶する施設情報記憶手段を備え、上記制御部において実行される、上記施設情報記憶手段に記憶された上記複数の上記施設情報から、所望の上記施設を検索するために予め入力された検索入力情報が上記施設識別情報または上記特徴情報に含まれている上記施設情報である第一施設情報を検索する第一検索ステップと、上記第一検索ステップにて検索された上記第一施設情報から上記特徴情報を取得する特徴情報取得ステップと、上記施設情報記憶手段に記憶された上記複数の上記施設情報から、上記特徴情報取得ステップにて取得された上記特徴情報と同じものを含む上記施設情報である第二施設情報を検索する第二検索ステップと、上記第二検索ステップにて検索された上記第二施設情報を上記出力部に出力させる施設情報出力ステップと、を含むことを特徴とする。 
【００２５】
また、本発明のプログラムは、出力部を備えた端末装置に通信可能に接続された、記憶部と制御部とを備えたサーバ装置に実行させるためのプログラムであって、上記記憶部は、施設を識別するための施設識別情報と上記施設の特徴に関する特徴情報とを含む複数の施設情報を記憶する施設情報記憶手段を備え、上記制御部において、上記端末装置から送信される、所望の上記施設を検索するために予め入力された検索入力情報を受信する検索入力情報受信ステップと、上記施設情報記憶手段に記憶された上記複数の上記施設情報から、上記検索入力情報が上記施設識別情報または上記特徴情報に含まれている上記施設情報である第一施設情報を検索する第一検索ステップと、上記第一検索ステップにて検索された上記第一施設情報から上記特徴情報を取得する特徴情報取得ステップと、上記施設情報記憶手段に記憶された上記複数の上記施設情報から、上記特徴情報取得ステップにて取得された上記特徴情報と同じものを含む上記施設情報である第二施設情報を検索する第二検索ステップと、上記第二検索ステップにて検索された上記第二施設情報を含む施設情報を出力させるための出力制御情報を上記端末装置に送信することにより、当該施設情報を上記出力部に出力させる施設情報出力制御ステップと、を実行させることを特徴とする。
【００２６】
また、本発明のプログラムは、記憶部を備えたサーバ装置に通信可能に接続された、制御部と出力部とを備えた端末装置に実行させるためのプログラムであって、上記記憶部は、施設を識別するための施設識別情報と上記施設の特徴に関する特徴情報とを含む複数の施設情報を記憶する施設情報記憶手段を備え、上記制御部において、所望の上記施設を検索するために予め入力された検索入力情報を上記サーバ装置に送信する検索入力情報送信ステップと、上記サーバ装置から送信される、上記施設情報記憶手段に記憶された上記複数の上記施設情報から、上記検索入力情報が上記施設識別情報または上記特徴情報に含まれているとして検索された上記施設情報である第一施設情報について、上記施設情報記憶手段に記憶された上記複数の上記施設情報から、上記第一施設情報から取得された上記特徴情報と同じものを含む上記施設情報である第二施設情報を含む施設情報を受信する施設情報受信ステップと、上記施設情報受信ステップにて受信された上記施設情報を上記出力部に出力させる施設情報出力ステップと、を実行させることを特徴とする。 
【００２７】
また、本発明のプログラムは、制御部と記憶部と出力部とを備えた施設情報提供装置に実行させるためのプログラムであって、上記記憶部は、施設を識別するための施設識別情報と上記施設の特徴に関する特徴情報とを含む複数の施設情報を記憶する施設情報記憶手段を備え、上記制御部において、上記施設情報記憶手段に記憶された上記複数の上記施設情報から、所望の上記施設を検索するために予め入力された検索入力情報が上記施設識別情報または上記特徴情報に含まれている上記施設情報である第一施設情報を検索する第一検索ステップと、上記第一検索ステップにて検索された上記第一施設情報から上記特徴情報を取得する特徴情報取得ステップと、上記施設情報記憶手段に記憶された上記複数の上記施設情報から、上記特徴情報取得ステップにて取得された上記特徴情報と同じものを含む上記施設情報である第二施設情報を検索する第二検索ステップと、上記第二検索ステップにて検索された上記第二施設情報を上記出力部に出力させる施設情報出力ステップと、を実行させることを特徴とする。 
【発明の効果】
【００２８】
この発明によれば、サーバ装置は、施設を識別するための施設識別情報と施設の特徴に関する特徴情報とを含む複数の施設情報を記憶し、端末装置から送信される、所望の施設を検索するために予め入力された検索入力情報を受信し、記憶された複数の施設情報から、検索入力情報が施設識別情報または特徴情報に含まれている施設情報である第一施設情報を検索し、検索した第一施設情報から特徴情報を取得し、記憶された複数の施設情報から、取得した特徴情報と同じものを含む施設情報である第二施設情報を検索し、検索した第二施設情報を含む施設情報を端末装置に送信し、端末装置は、検索入力情報をサーバ装置に送信し、サーバ装置から送信される、施設情報を受信し、受信した施設情報を出力部に出力させる。これにより、本発明は、利用者が望む施設情報を広く提供することができるという効果を奏する。具体的には、（１）利用者が、検索システムの施設分類（業種とカテゴリ構造との関係性）等を把握していない場合や、（２）代表的な施設名のみは想起しやすいがカテゴリが分かりにくい場合、（３）特定の目的（喫煙など）のための手段として施設を想起したときのその他の施設を検索する場合等であっても、利用者の目的に合致する多様な施設情報を得ることができる。特に、利用者にとって有益な情報を提供することができるととともに、再検索の手間を軽減させることができる。 
【００２９】
また、本発明によれば、上記において、端末装置は、第一施設情報と第二施設情報とを区別可能に出力部に出力するので、検索入力情報に直接合致した第一施設情報と、そこから類推される第二施設情報とを、利用者に分かり易く提供することができるという効果を奏する。 
【００３０】
また、本発明によれば、上記において、特徴情報には、施設を分類するためのカテゴリに関するカテゴリ情報が含まれており、サーバ装置は、各々のカテゴリ情報が含まれている施設情報の数に基づいて、第一施設情報から少なくとも一つのカテゴリ情報を取得するので、第二施設情報を検索する場合に検索結果が多すぎたり少なすぎたりしないように取得するカテゴリを調整して、適切な数の施設情報を利用者に提供することができるという効果を奏する。 
【００３１】
また、本発明によれば、上記において、サーバ装置は、第一施設情報から特徴情報が複数取得される場合には、当該複数の特徴情報から、第二施設情報の検索対象とする特徴情報を設定し、および／または、端末装置は、第二施設情報が複数の特徴情報を含む場合に、当該複数の特徴情報から、出力対象とする特徴情報を設定するので、複数の特徴から特定の特徴に絞って検索や出力を行うことができるという効果を奏する。 
【００３２】
また、本発明によれば、上記において、特徴情報には、当該特徴情報とは異なる他の特徴情報との関連性または施設情報との関連性に応じて予め設定された優先度に関する優先度情報が含まれており、サーバ装置は、優先度情報に基づいて、検索対象とする特徴情報を設定すること、および／または、サーバ装置は、優先度情報に基づいて、出力対象とする特徴情報を設定するので、利用者の嗜好等に応じて優先順に検索や出力を行うことができるという効果を奏する。 
【００３３】
また、本発明によれば、上記において、サーバ装置は、検索対象とする特徴情報を、当該特徴情報が含まれている施設情報の数に基づいて設定すること、および／または、端末装置は、出力対象とする特徴情報を、当該特徴情報が含まれている施設情報の数に基づいて設定するので、施設の数が適切な数になるように検索または出力を行って、利用者に適切な数の施設情報を提供することができるという効果を奏する。 
【００３４】
なお、上記において、本発明の施設情報提供システムを一例に効果の説明をしたが、サーバ装置、端末装置、施設情報提供装置、施設情報提供方法、および、プログラムにおいても同様の効果を奏する。 
【図面の簡単な説明】
【００３５】
【図１】図１は、第１の実施形態における施設情報提供システムの構成の一例を示すブロック図である。
【図２】図２は、本実施の形態における施設データベース２０６ｂに記憶される施設情報の一例を示す図である。
【図３】図３は、本実施の形態において、カテゴリ情報が規定するカテゴリの階層構造を模式的に示した図である。
【図４】図４は、第１の実施形態における施設情報提供システムの処理の一例を示すフローチャートである。
【図５】図５は、サーバ装置２００において実行されるカテゴリ抽出処理の一例を示すフローチャートである。
【図６】図６は、施設情報切替処理の一例を示すフローチャートである。
【図７】図７は、端末装置１００の出力部１１４に表示される表示画面の一例を示す図である。
【図８】図８は、端末装置１００の出力部１１４に表示される表示画面の一例を示す図である。
【図９】図９は、端末装置１００の出力部１１４に表示される表示画面の一例を示す図である。
【図１０】図１０は、端末装置１００の出力部１１４に表示される表示画面の一例を示す図である。
【図１１】図１１は、第２の実施形態におけるサーバ装置２００の構成の一例を示すブロック図である。
【図１２】図１２は、第２の実施形態におけるサーバ装置２００の処理の一例を示すフローチャートである。
【図１３】図１３は、第３の実施形態における施設情報提供装置４００の構成の一例を示すブロック図である。
【図１４】図１４は、第３の実施形態における施設情報提供装置４００の処理の一例を示すフローチャートである。
【発明を実施するための形態】
【００３６】
以下に、本発明にかかる施設情報提供システム、サーバ装置、端末装置、施設情報提供装置、施設情報提供方法、および、プログラムの実施の形態を図面に基づいて詳細に説明する。なお、この実施の形態によりこの発明が限定されるものではない。 
【００３７】
以下、本発明の構成および処理について、第１の実施形態（施設情報提供システム）、第２の実施形態（サーバ装置（サーバ主導型））、および、第３の実施形態（施設情報提供装置（スタンドアローン型））の順にて詳細に説明する。 
【００３８】
［第１の実施形態］
最初に、本発明の第１の実施形態（施設情報提供システム）について、図１から図１０を参照して説明する。但し、以下に示す第１の実施形態は、本発明の技術思想を具体化するための施設情報提供システムを例示するものであって、本発明をこの施設情報提供システムに特定することを意図するものではなく、特許請求の範囲に含まれるその他の実施形態の施設情報提供システムにも等しく適用し得るものである。例えば、第１の実施形態で例示する施設情報提供システムにおけるサーバ側と端末側の機能分散の形態は以下に限られず、同様の効果や機能を奏し得る範囲において、任意の単位で機能的または物理的に分散・統合して構成することができる。 
【００３９】
［施設情報提供システムの構成］
まず、第１の実施形態における施設情報提供システムの構成の一例について、図１を参照して説明する。図１は、第１の実施形態における施設情報提供システムの構成の一例を示すブロック図であり、該構成のうち本発明に関係する部分のみを概念的に示している。なお、本実施形態においては、通信型のナビゲーションを提供する施設情報提供システムを具体例として説明するが、本発明はこれに限ることなく、スタンドアローンタイプの施設情報提供システムなどにも適用可能である。 
【００４０】
図１に示すように、本実施形態の施設情報提供システムは、概略的に、施設情報提供等を行うことができるサーバ装置２００、および、単数または複数の端末装置１００、を通信可能に接続して構成される。なお、図１においては、一の端末装置１００を代表的に図示しているが、これに限られず、同様の構成をもつ複数の端末装置１００を備えてもよい。ここで、図１に示すように、通信には、一例として、ネットワーク３００を介した有線・無線通信等の遠隔通信等を含む。また、これら施設情報提供システムの各部は任意の通信路を介して通信可能に接続されている。 
【００４１】
図１に示すように、第１の実施形態の施設情報提供システムにおいて、サーバ装置２００は、概略的に、制御部２０２と記憶部２０６とを備えており、端末装置１００は、位置取得部１１２と出力部１１４と入力部１１６と制御部１０２と記憶部１０６とを備える。
【００４２】
［サーバ装置２００の構成］
ここで、図１において、サーバ装置２００は、施設を識別するための施設識別情報と施設の特徴に関する特徴情報とを含む複数の施設情報を記憶部２０６に記憶し、端末装置１００から送信される、所望の施設を検索するために予め入力された検索入力情報を受信し、記憶部２０６に記憶される複数の施設情報から、検索入力情報が施設識別情報または特徴情報に含まれている施設情報である第一施設情報を検索し、検索した第一施設情報から特徴情報を取得し、記憶部２０６に記憶される複数の施設情報から、取得した特徴情報と同じものを含む施設情報である第二施設情報を検索し、第二施設情報を含む施設情報を端末装置１００に送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（地図データベース２０６ａ、および、施設データベース２０６ｂ等）を格納する。 
【００４３】
これら記憶部２０６の各構成要素のうち、地図データベース２０６ａは、地図の地図情報を記憶する地図情報記憶手段である。ここで、地図情報は、複数の縮尺のラスタ形式の地図描画用の画像、または、ベクタ形式の地図描画用の画像等であってもよい。また、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図や路線図等の屋外地図情報を含んでいてもよい。また、地図情報は、例えば、高さ情報を持つ建築物（例えば、立体駐車場、駅、デパート、および、学校等）に関するフロア案内地図等の屋内地図情報を更に含んでいてもよい。 
【００４４】
また、地図データベース２０６ａは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報等のデータを含んでいてもよい。ここで、形状情報は、地図オブジェクト描画用の画像（例えば、ポリゴン、および、ポリライン等）を含んでいてもよい。 
【００４５】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。また、これら地図情報等は、地図データベース２０６ａに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器（例えば、地図情報を提供する地図提供サーバなど）等からダウンロードして地図データベース２０６ａに記憶された地図情報等をアップデートしてもよい。 
【００４６】
また、施設データベース２０６ｂは、施設を識別するための施設識別情報と施設の特徴に関する特徴情報とを含む複数の施設情報を記憶する施設情報記憶手段である。本実施の形態においては、施設は、一例として、ＰＯＩ（ｐｏｉｎｔ  ｏｆ  ｉｎｔｅｒｅｓｔ）と呼ばれるものであってもよい。ＰＯＩは、便利な場所や興味のある場所などとして人が知覚する特定の地点や空間や領域等であって、建造物や、設備、店舗、会社、事務所、公共施設、娯楽施設、および、屋外施設、観光スポットや景勝地などの地点や地物や領域等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。 
【００４７】
本実施の形態において、施設を識別するための施設識別情報は、施設の名称（地点名称）や、施設ＩＤ、施設の地点や位置（座標）や緯度経度高度、施設の電話番号、施設の住所、ＵＲＬ等であってもよい。また、本実施の形態において、施設の特徴に関する特徴情報は、種別（カテゴリ）等の属性、営業時間、喫煙スペースの有無等の用途・設備、取扱商品、価格（例えば、予算額や平均使用料金や価格帯など）、評判、ランキング、立ち寄りやすさ、レコメンドスコア、写真データ、クーポン情報、口コミ（例えば、口コミ評価およびユーザコメントなど）、使用条件、使用可能性、施設規模、当該施設情報へのアクセス回数またはアクセス頻度等の参照率、施設の存在する地点の立地（都市部、郊外、港湾部、および、駅周辺等）および用途制限等、行政区画、並びに、当該施設情報の更新日時等の情報を含んでいてもよい。ここで、特徴情報は、施設（ＰＯＩ）を分類するためのカテゴリに関するカテゴリ情報が含まれてもよい。図２は、本実施の形態における施設データベース２０６ｂに記憶される施設情報の一例を示す図である。 
【００４８】
図２に示すように、一例として、施設情報は、施設を識別するための施設識別情報（例えば、「○○バーガー  ＡＡ店」等の施設名称）と特徴情報から構成される。また、特徴情報は、施設が含まれるカテゴリを示すカテゴリ情報（例えば、「飲食店」等の店舗種別）や、施設の属性を示す属性情報（例えば、営業時間「７：００〜２３：００」）等を含んでもよい。なお、図２の例では、カテゴリ情報により規定されるカテゴリは、カテゴリ１〜３の階層で分類されており、例えば、「○○バーガー  ＡＡ店」では、比較的小分類のカテゴリ１では、「○○バーガー」に分類されるが、中分類のカテゴリ２では、「ファストフード」に分類され、比較的大分類のカテゴリ３では、「飲食店」に分類されている。ここで、図３は、本実施の形態において、カテゴリ情報が規定するカテゴリの階層構造を模式的に示した図である。図３に示すように、飲食店等の各施設（ＰＯＩ）を、階層的に分類することができる。なお、施設情報のデータ構造は、リレーショナル型を前提としてもよく、また、ツリー型（階層型）としてもよい。また、施設情報に含まれる特徴情報は、当該特徴情報とは異なる他の特徴情報との関連性または施設情報との関連性に応じて予め設定された優先度に関する優先度情報が含まれてもよい。例えば、優先度は、各施設やカテゴリ等に応じて、他の特徴情報との関連性に応じて定義されたものでもよい。 
【００４９】
これら施設情報は、施設データベース２０６ｂに予め記憶されており、サーバ装置２００の制御部２０２は、定期的に、および／または、制御部２０２による処理に応じて（例えば、制御部２０２においてデータが必要となる契機等）、ネットワーク３００を介して最新のデータを外部機器６００（例えば、施設情報を提供する施設情報提供サーバなど）等からダウンロードして施設データベース２０６ｂに記憶された施設情報をアップデートしてもよい。 
【００５０】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、検索入力情報受信部２０２ａ、第一検索部２０２ｂ、特徴情報取得部２０２ｃ、第二検索部２０２ｅ、および、施設情報送信部２０２ｆを備える。 
【００５１】
このうち、検索入力情報受信部２０２ａは、端末装置１００から送信される、所望の施設を検索するために予め入力された検索入力情報を受信する検索入力情報受信手段である。例えば、検索入力情報は、利用者により入力された検索キーワード等の文字データ等である。ここで、検索入力情報は、端末装置１００の利用者の現在位置情報を含んでもよい。
【００５２】
また、第一検索部２０２ｂは、施設データベース２０６ｂに記憶された複数の施設情報から、検索入力情報受信部２０２ａにより受信された検索入力情報が施設識別情報または特徴情報に含まれている施設情報である第一施設情報を検索する第一検索手段である。例えば、第一検索部２０２ｂは、検索キーワード等の検索入力情報に一致または対応する施設情報を、施設データベース２０６ｂから検索することにより、第一施設情報を取得してもよい。ここで、検索キーワード等の検索入力情報は、施設識別情報または特徴情報の一方に含まれていればよく、両方に含まれていてもよい。なお、検索入力情報に現在位置情報が含まれる場合、第一検索部２０２ｂは、施設データベース２０６ｂに記憶される施設情報の緯度経度等を参照して、現在位置情報が規定する現在位置から所定の範囲（地図表示領域等）に存在する施設（ＰＯＩ）に絞り込んで第一施設情報の検索を行ってもよい。
【００５３】
また、特徴情報取得部２０２ｃは、第一検索部２０２ｂにより検索された第一施設情報から特徴情報を取得する特徴情報取得手段である。例えば、特徴情報取得部２０２ｃは、第一検索部２０２ｂにより第一施設情報として検索された、施設データベース２０６ｂに記憶された施設情報に含まれる特徴情報を取得してもよい。ここで、特徴情報取得部２０２ｃは、各々の特徴情報（カテゴリ情報や属性情報等）が含まれている施設情報の数に基づいて、第一施設情報から少なくとも一つのカテゴリ情報を取得してもよい。例えば、階層化されたカテゴリ情報に関して、小分類に比較して大分類では、多数の施設情報を含むことになるが、利用者に、関連性の少ない無数の施設情報を提供するよりも、検索入力情報に関連した、適切な数の施設情報を提供する方が有益であると考えられる。そのため、特徴情報取得部２０２ｃは、一例として、所定数以内の数の施設情報を含む特徴情報（カテゴリ情報等）を選択して取得してもよい。このほか、特徴情報取得部２０２ｃは、複数の施設情報の中で、施設数が最も少ないもの（最も下位概念にあたるカテゴリ情報）や、地域や範囲を考慮した施設数に基づくもの（検索入力情報に含まれる現在位置情報に基づいて現在位置から３ｋｍ以内での施設など）に関する特徴情報を取得してもよい。ここで、図１に示すように、特徴情報取得部２０２ｃは、検索特徴情報設定部２０２ｄを更に備えてもよい。 
【００５４】
検索特徴情報設定部２０２ｄは、第一検索部２０２ｂにより検索された第一施設情報から特徴情報が複数取得される場合に、当該複数の特徴情報から、第二検索部２０２ｅによる検索対象とする特徴情報を設定する検索特徴情報設定手段である。例えば、検索特徴情報設定部２０２ｄは、第一検索部２０２ｂにより検索された第一施設情報のうち、一つの施設情報が複数の特徴情報を有する場合や、複数の施設が特定された場合等において、取得する特徴情報を絞り込んでもよい（第二検索部２０２ｅによる検索前の絞込み）。一例として、検索特徴情報設定部２０２ｄは、施設データベース２０６ｂに記憶された施設情報の特徴情報に含まれる優先度情報に基づいて、第二検索部２０２ｅによる検索対象とする特徴情報を設定してもよい。例えば、検索特徴情報設定部２０２ｄは、複数の特徴情報の中から、最も優先度が上位の特徴情報を、検索対象として設定してもよい。この他、検索特徴情報設定部２０２ｄは、特徴情報を有する施設数に応じて、検索対象とする特徴情報を設定してもよい。例えば、検索特徴情報設定部２０２ｄは、第二施設情報の検索結果として多くの施設が得られる特徴情報を設定してもよく、第一施設情報として特定された施設の中で共通する特徴情報を設定してもよい。なお、検索特徴情報設定部２０２ｄは、サーバ装置２００側で判定して設定することなく、利用者に選択させてもよい。例えば、検索特徴情報設定部２０２ｄは、端末装置１００の後述する出力特徴情報設定部１０２ｆの処理により、設定された特徴情報を端末装置１００から受信して記憶部２０６に格納しておき、次回以降、記憶部２０６に格納された特徴情報を利用者の嗜好を反映するものとして設定してもよい。 
【００５５】
また、第二検索部２０２ｅは、施設データベース２０６ｂに記憶された複数の施設情報から、特徴情報取得部２０２ｃにより取得された特徴情報と同じものを含む施設情報である第二施設情報を検索する第二検索手段である。例えば、第二検索部２０２ｅは、特徴情報取得部２０２ｃにより取得された特徴情報に一致または対応する特徴情報をもつ施設情報を、施設データベース２０６ｂから検索することにより、第二施設情報を取得してもよい。ここで、第二検索部２０２ｅは、特徴情報取得部２０２ｃにより取得された特徴情報と同じものが含まれており且つ第一検索部２０２ｂにより検索された第一施設情報とは異なる施設情報である第二施設情報を検索してもよい。なお、検索入力情報に現在位置情報が含まれる場合、第二検索部２０２ｅは、施設データベース２０６ｂに記憶される施設情報の緯度経度等を参照して、現在位置情報が規定する現在位置から所定の範囲（地図表示領域等）に存在する施設（ＰＯＩ）に絞り込んで第二施設情報の検索を行ってもよい。
【００５６】
また、施設情報送信部２０２ｆは、第二検索部２０２ｅにより検索された第二施設情報を含む施設情報を、端末装置１００に送信する施設情報送信手段である。ここで、施設情報送信部２０２ｆは、更に、第一検索部２０２ｂにより検索された第一施設情報を含む施設情報を、端末装置１００に送信してもよい。また、施設情報送信部２０２ｆは、第一施設情報の地点または第二施設情報の地点を含む地図データを地図データベース２０６ａから取得して、施設情報に格納して送信してもよい。また、施設情報送信部２０２ｆは、第一施設情報や第二施設情報の地点をアイコン等で重畳させた地図データを端末装置１００に送信してもよい。 
【００５７】
［端末装置１００の構成］
また、図１において、端末装置１００は、検索入力情報をサーバ装置２００に送信し、サーバ装置２００から送信される、施設情報を受信し、受信した施設情報を出力部１１４に出力させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行なうナビゲーション端末（例えば、カーナビゲーション装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００は、出力部１１４と入力部１１６を備える。 
【００５８】
ここで、出力部１１４は、アプリケーション等の表示画面を表示する表示手段（例えば、液晶または有機ＥＬ等から構成されるディスプレイおよびモニタ等）であってもよい。また、出力部１１４は、音声情報を音声として出力する音声出力手段（例えば、スピーカ等）であってもよい。また、入力部１１６は、例えば、キー入力部、タッチパネル、キーボード、および、音声入力を行うマイク等であってもよい。また、入出力制御インターフェース部１０８は、位置取得部１１２、出力部１１４、および、入力部１１６等の制御を行う。 
【００５９】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。 
【００６０】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。 
【００６１】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。 
【００６２】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。 
【００６３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。 
【００６４】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（施設情報ファイル１０６ａ等）を格納してもよい。ここで、記憶部１０６は各種のファイル等を一時的に記憶するものであってもよい。
【００６５】
ここで、施設情報ファイル１０６ａは、施設情報受信部１０２ｄにより受信される施設情報を記憶する施設情報記憶手段である。 
【００６６】
この他、記憶部１０６は、上述した地図データベース２０６ａと同様に、地図データを予め記憶してもよく、端末装置１００の制御部１０２は、定期的に、および／または、制御部１０２による処理に応じて（例えば、制御部１０２においてデータが必要となる契機等）、ネットワーク３００を介して最新のデータを外部機器（例えば、地図情報を提供する地図提供サーバなど）等からダウンロードして記憶部１０６に記憶された地図情報等をアップデートしてもよい。 
【００６７】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、検索入力情報取得部１０２ｂ、検索入力情報送信部１０２ｃ、施設情報受信部１０２ｄ、および、施設情報出力部１０２ｅを備える。 
【００６８】
このうち、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、または、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に出力部１１４に表示された地図情報に基づく表示画面上で指定（例えば、タッチパネル式の出力部１１４での指定操作等）させた座標を端末装置１００の利用者の現在位置情報として取得してもよい。一例として、現在位置情報取得部１０２ａは、出力部１１４に表示された地図の表示画面の中心座標や縮尺など、表示中の地図の表示領域や範囲を規定する情報を、現在位置情報として取得してもよい。 
【００６９】
また、検索入力情報取得部１０２ｂは、所望の施設を検索するための検索入力情報を取得する検索入力情報取得手段である。例えば、検索入力情報取得部１０２ｂは、利用者に入力部１１６を介して、フリーワード入力等により検索キーワードを入力させ、入力された文字データを検索入力情報として取得してもよい。また、検索入力情報取得部１０２ｂは、マイク等の入力部１１６を介して、利用者が音声入力を行うよう制御し、入力された音声データに基づいて音声認識処理等を行うことにより文字データの検索入力情報を取得してもよい。なお、検索入力情報取得部１０２ｂは、音声データそのものを検索入力情報として取得し、サーバ装置２００において音声認識処理等を実行させてもよい。また、検索入力情報取得部１０２ｂは、カテゴリ等の一覧を出力部１１４にリスト表示させ、入力部１１６を介して利用者により選択されたカテゴリ等を検索入力情報として取得してもよい。 
【００７０】
また、検索入力情報送信部１０２ｃは、検索入力情報取得部１０２ｂにより取得された検索入力情報を、サーバ装置２００に送信する検索入力情報送信手段である。ここで、検索入力情報送信部１０２ｃは、現在位置情報取得部１０２ａにより取得された現在位置情報を含む検索入力情報を、サーバ装置２００に送信してもよい。 
【００７１】
また、施設情報受信部１０２ｄは、サーバ装置２００から送信される、施設情報を受信する施設情報受信手段である。ここで、施設情報受信部１０２ｄは、受信した施設情報を施設情報ファイル１０６ａに格納してもよい。 
【００７２】
また、施設情報出力部１０２ｅは、施設情報受信部１０２ｄにより受信された施設情報を出力部１１４に出力させる施設情報出力手段である。ここで、施設情報出力部１０２ｅは、施設情報受信部１０２ｄにより受信された施設情報に含まれる、第一施設情報と第二施設情報とを区別可能に出力部１１４に出力させてもよい。例えば、施設情報出力部１０２ｅは、ディスプレイ等の出力部１１４の表示画面上において、施設の色や大きさや表示態様（点滅など）等を第一施設情報と第二施設情報の間で変更してもよく、スピーカ等の出力部１１４の音声出力において、音程や声色等を第一施設情報と第二施設情報の間で変更してもよい。 
【００７３】
ここで、施設情報出力部１０２ｅは、施設情報受信部１０２ｄにより受信された施設情報に含まれる地図データまたは記憶部１０６に記憶される地図データ上に、施設情報を重畳させて出力部１１４に表示させてもよい。また、施設情報出力部１０２ｅは、現在位置情報取得部１０２ａにより取得される現在位置情報の更新に応じて、地図データ上に現在位置マーク等を表示してもよく、地図データの中心座標を現在位置に変更してもよい。ここで、図１に示すように、施設情報出力部１０２ｅは、出力特徴情報設定部１０２ｆを更に備えてもよい。 
【００７４】
出力特徴情報設定部１０２ｆは、第二施設情報が複数の特徴情報を含む場合に、当該複数の特徴情報から、出力対象とする特徴情報を設定する出力特徴情報設定手段である。例えば、出力特徴情報設定部１０２ｆは、サーバ装置２００の第二検索部２０２ｅにより検索された第二施設情報において、複数の特徴情報に属する施設情報がある場合や、複数の施設が特定された場合等において、出力対象とする特徴情報を絞り込んでもよい（第二検索部２０２ｅによる検索後の絞込み）。また、出力特徴情報設定部１０２ｆは、各施設情報の特徴情報に対応付けられた優先度情報に基づいて、出力対象とする特徴情報を設定してもよい。例えば、出力特徴情報設定部１０２ｆは、複数の特徴情報の中から、最も優先度が上位の特徴情報を、検索対象として設定してもよい。この他、出力特徴情報設定部１０２ｆは、特徴情報が含まれている施設情報の数に基づいて、出力対象とする特徴情報を設定してもよい。例えば、出力特徴情報設定部１０２ｆは、第二施設情報の検索結果として多くの施設が得られる特徴情報を設定してもよく、第一施設情報として特定された施設の中で共通する特徴情報を設定してもよい。なお、出力特徴情報設定部１０２ｆは、複数の特徴情報の中から、利用者に入力部１１６を介して選択させてもよい。例えば、出力特徴情報設定部１０２ｆは、複数の特徴情報を出力部１１４にリスト表示させ、利用者により入力部１１６を介して選択された特徴情報を設定してもよい。なお、出力特徴情報設定部１０２ｆは、利用者により選択された特徴情報を記憶部１０６に格納しておき、次回以降、記憶部１０６に格納された特徴情報を利用者の嗜好を反映するものとして設定してもよく、また、設定した特徴情報をサーバ装置２００に送信してもよい。出力特徴情報設定部１０２ｆは、利用者により入力部１１６を介して、受信した第二施設情報にはない特徴情報が入力された場合、検索入力情報送信部１０２ｃに、当該特徴情報を切換要求として示す検索入力情報をサーバ装置２００に送信させ、再検索された施設情報を施設情報受信部１０２ｄにより受信させてもよい。 
【００７５】
以上で、第１の実施形態における施設情報提供システムの構成の一例の説明を終える。
【００７６】
［施設情報提供システムの処理］
次に、このように構成された第１の実施形態における施設情報提供システムの処理の一例について、図４から図１０を参照して詳細に説明する。図４は、第１の実施形態における施設情報提供システムの処理の一例を示すフローチャートである。 
【００７７】
図４に示すように、まず、端末装置１００の検索入力情報取得部１０２ｂは、所望の施設を検索するための検索入力情報を取得する（ステップＳＡ−１）。例えば、検索入力情報取得部１０２ｂは、利用者に入力部１１６を介して、フリーワード入力等により検索キーワードを入力させ、入力された文字データを検索入力情報として取得してもよい。また、検索入力情報取得部１０２ｂは、マイク等の入力部１１６を介して、利用者が音声入力を行うよう制御してもよい。なお、検索入力情報取得部１０２ｂは、音声データそのものを検索入力情報として取得してもよく、音声認識処理等を行うことにより文字データに変換して取得してもよい。また、検索入力情報取得部１０２ｂは、カテゴリ等の一覧を出力部１１４にリスト表示させ、入力部１１６を介して利用者により選択されたカテゴリ等を検索入力情報として取得してもよい。 
【００７８】
そして、端末装置１００の検索入力情報送信部１０２ｃは、検索入力情報取得部１０２ｂにより取得された検索入力情報を、サーバ装置２００に送信する（ステップＳＡ−２）。ここで、検索入力情報送信部１０２ｃは、現在位置情報取得部１０２ａにより取得された現在位置情報を含む検索入力情報を、サーバ装置２００に送信してもよい。なお、現在位置情報取得部１０２ａは、出力部１１４に表示中の地図の表示領域や範囲を規定する情報（中心座標や縮尺等）を、現在位置情報として取得してもよい。 
【００７９】
そして、サーバ装置２００の検索入力情報受信部２０２ａは、端末装置１００から送信された検索入力情報を受信する（ステップＳＡ−３）。 
【００８０】
そして、サーバ装置２００の第一検索部２０２ｂは、施設データベース２０６ｂに記憶された複数の施設情報から、検索入力情報受信部２０２ａにより受信された検索入力情報が施設識別情報または特徴情報に含まれている施設情報である第一施設情報を検索する（ステップＳＡ−４）。例えば、第一検索部２０２ｂは、検索キーワード等の検索入力情報に一致または対応する施設情報を、施設データベース２０６ｂから検索することにより、第一施設情報を取得してもよい。ここで、検索入力情報に現在位置情報が含まれる場合、第一検索部２０２ｂは、施設データベース２０６ｂに記憶される施設情報の緯度経度等を参照して、現在位置情報が規定する現在位置から所定の範囲（地図表示領域等）に存在する施設（ＰＯＩ）に絞り込んで第一施設情報の検索を行ってもよい。 
【００８１】
そして、サーバ装置２００の特徴情報取得部２０２ｃは、第一検索部２０２ｂにより検索された第一施設情報から特徴情報を取得する（ステップＳＡ−５）。例えば、特徴情報取得部２０２ｃは、第一検索部２０２ｂにより第一施設情報として検索された、施設データベース２０６ｂに記憶された施設情報に含まれる特徴情報を取得してもよい。ここで、特徴情報取得部２０２ｃは、各々の特徴情報（カテゴリ情報や属性情報等）が含まれている施設情報の数に基づいて、第一施設情報から少なくとも一つのカテゴリ情報を取得してもよい。一例として、特徴情報取得部２０２ｃは、所定数以内の数の施設情報を含む特徴情報（カテゴリ情報等）を選択して取得してもよい。このほか、特徴情報取得部２０２ｃは、複数の施設情報の中で、施設数が最も少ないもの（最も下位概念にあたるカテゴリ情報）や、地域や範囲を考慮した施設数に基づくもの（検索入力情報に含まれる現在位置情報に基づいて現在位置から３ｋｍ以内での施設など）に関する特徴情報を取得してもよい。 
【００８２】
そして、サーバ装置２００の第二検索部２０２ｅは、施設データベース２０６ｂに記憶された複数の施設情報から、特徴情報取得部２０２ｃにより取得された特徴情報（検索特徴情報設定部２０２ｄにより設定された特徴情報等）と同じものを含む施設情報である第二施設情報を検索する（ステップＳＡ−６）。例えば、第二検索部２０２ｅは、特徴情報取得部２０２ｃにより取得された特徴情報に一致または対応する特徴情報をもつ施設情報を、施設データベース２０６ｂから検索することにより、第二施設情報を取得してもよい。なお、検索入力情報に現在位置情報が含まれる場合、第二検索部２０２ｅは、施設データベース２０６ｂに記憶される施設情報の緯度経度等を参照して、現在位置情報が規定する現在位置から所定の範囲（地図表示領域等）に存在する施設（ＰＯＩ）に絞り込んで第二施設情報の検索を行ってもよい。 
【００８３】
そして、サーバ装置２００の施設情報送信部２０２ｆは、第二検索部２０２ｅにより検索された第二施設情報を含む施設情報を、端末装置１００に送信する（ステップＳＡ−７）。ここで、施設情報送信部２０２ｆは、更に、第一検索部２０２ｂにより検索された第一施設情報を施設情報に含めて端末装置１００に送信してもよい。また、施設情報送信部２０２ｆは、第一施設情報の地点および第二施設情報の地点を含む地図データを地図データベース２０６ａから取得して、施設情報に格納して送信してもよい。また、施設情報送信部２０２ｆは、第一施設情報や第二施設情報の地点をアイコン等で重畳させた地図データを端末装置１００に送信してもよい。 
【００８４】
そして、端末装置１００の施設情報受信部１０２ｄは、サーバ装置２００から送信される、施設情報を受信する（ステップＳＡ−８）。ここで、施設情報受信部１０２ｄは、受信した施設情報を施設情報ファイル１０６ａに格納してもよい。 
【００８５】
そして、端末装置１００の施設情報出力部１０２ｅは、施設情報受信部１０２ｄにより受信された施設情報を出力部１１４に出力させる（ステップＳＡ−９）。ここで、施設情報出力部１０２ｅは、施設情報受信部１０２ｄにより受信された施設情報に含まれる、第一施設情報と第二施設情報とを区別可能に出力部１１４に出力させてもよい。例えば、施設情報出力部１０２ｅは、ディスプレイ等の出力部１１４の表示画面上において、施設の色や大きさや表示態様（点滅など）等を第一施設情報と第二施設情報の間で変更してもよく、スピーカ等の出力部１１４の音声出力において、音程や声色等を第一施設情報と第二施設情報の間で変更してもよい。ここで、施設情報出力部１０２ｅは、施設情報受信部１０２ｄにより受信された施設情報に含まれる地図データまたは記憶部１０６に記憶される地図データ上に、施設情報を重畳させて出力部１１４に表示させてもよい。また、施設情報出力部１０２ｅは、現在位置情報取得部１０２ａにより取得される現在位置情報の更新に応じて、地図データ上に現在位置マーク等を表示してもよく、地図データの中心座標を現在位置に変更してもよい。 
【００８６】
以上が、第１の実施形態における施設情報提供システムの処理の一例である。 
【００８７】
［カテゴリ抽出処理］
つづいて、上述した施設情報提供システムの処理において、サーバ装置２００の特徴情報取得処理（ステップＳＡ−５）の具体例として、カテゴリ抽出処理の一例について、以下に図５を参照して説明する。図５は、サーバ装置２００において実行されるカテゴリ抽出処理の一例を示すフローチャートである。このカテゴリ抽出処理においては、サーバ装置２００の特徴情報取得部２０２ｃが、各々のカテゴリ情報が含まれている施設情報の数に基づいて、第一施設情報から少なくとも一つのカテゴリ情報を取得する。なお、カテゴリは、図３を用いて上述したように、階層化して分類されている。 
【００８８】
図５に示すように、まず、特徴情報取得部２０２ｃは、第一検索部２０２ｂにより検索された第一施設情報の特徴情報に含まれる階層化されたカテゴリ情報のうち、最も下位階層のカテゴリ情報を仮取得する（ステップＳＢ−１）。 
【００８９】
そして、特徴情報取得部２０２ｃは、最も下位階層から一つ上位の階層のカテゴリ情報を特定する（ステップＳＢ−２）。 
【００９０】
そして、特徴情報取得部２０２ｃは、施設データベース２０６ｂに記憶された施設情報に基づいて、特定したカテゴリ情報を有する施設情報の数（施設数）を判定し、施設数が所定の閾値以内であるか否かを判定する（ステップＳＢ−３）。ここで、特徴情報取得部２０２ｃは、検索入力情報に現在位置情報が含まれる場合、現在位置情報が示す現在位置から所定範囲内にある施設に限定して施設数を判定してもよい。また、施設数の閾値は、一定であることに限らず、特徴情報取得部２０２ｃは、カテゴリ情報の階層によって変化させてもよい。 
【００９１】
施設数が閾値を超える場合（ステップＳＢ−３，Ｎｏ）、特徴情報取得部２０２ｃは、当該カテゴリ情報を仮取得しないが（ステップＳＢ−６）、施設数が閾値以内である場合（ステップＳＢ−３，Ｙｅｓ）、特徴情報取得部２０２ｃは、当該カテゴリ情報を仮取得する（ステップＳＢ−４）。 
【００９２】
そして、特徴情報取得部２０２ｃは、仮取得したカテゴリ情報より上位の階層のカテゴリ情報があるか否かを判定し（ステップＳＢ−５）、上位階層のカテゴリ情報がある場合（ステップＳＢ−５，Ｙｅｓ）、ステップＳＢ−２に処理を戻し、上述した処理を繰り返す。 
【００９３】
上位階層のカテゴリ情報がない場合（ステップＳＢ−５，Ｎｏ）、または、施設数が閾値を超えたためにカテゴリ情報を仮取得しなかった場合（ステップＳＢ−６）、特徴情報取得部２０２ｃは、仮取得したカテゴリ情報のうち、最上位の階層のカテゴリ情報を取得する（ステップＳＢ−７）。 
【００９４】
以上が、カテゴリ抽出処理の一例である。なお、上述の例では、特徴情報取得部２０２ｃは、各々のカテゴリ情報が含まれている施設情報の数に基づいて第一施設情報からカテゴリ情報を取得したが、特徴情報取得処理（ステップＳＡ−５）は、この例に限られない。例えば、特徴情報取得部２０２ｃの検索特徴情報設定部２０２ｄは、第一検索部２０２ｂにより検索された第一施設情報から特徴情報が複数取得される場合に、当該複数の特徴情報から、第二検索部２０２ｅによる検索対象とする特徴情報を設定してもよい。例えば、検索特徴情報設定部２０２ｄは、第一検索部２０２ｂにより検索された第一施設情報のうち、一つの施設情報が複数の特徴情報を有する場合や、複数の施設が特定された場合等において、取得する特徴情報を絞り込んでもよい。一例として、検索特徴情報設定部２０２ｄは、施設データベース２０６ｂに記憶された施設情報の特徴情報に含まれる優先度情報に基づいて、第二検索部２０２ｅによる検索対象とする特徴情報を設定してもよい。例えば、検索特徴情報設定部２０２ｄは、複数の特徴情報の中から、最も優先度が上位の特徴情報を、検索対象として設定してもよい。また、カテゴリ情報に限らず、検索特徴情報設定部２０２ｄは、特徴情報を有する施設数に応じて、検索対象とする特徴情報を設定してもよい。例えば、検索特徴情報設定部２０２ｄは、第二施設情報の検索結果として多くの施設が得られる特徴情報を設定してもよく、第一施設情報として特定された施設の中で共通する特徴情報を設定してもよい。なお、検索特徴情報設定部２０２ｄは、サーバ装置２００側で判定して設定することなく、利用者に選択させてもよい。例えば、検索特徴情報設定部２０２ｄは、端末装置１００の後述する出力特徴情報設定部１０２ｆの処理により、設定された特徴情報を端末装置１００から受信して記憶部２０６に格納しておき、次回以降、記憶部２０６に格納された特徴情報を利用者の嗜好を反映するものとして設定してもよい。 
【００９５】
また、上述したカテゴリ抽出処理の例では、ステップＳＢ−７において、所定数以内の施設情報を取得する場合等のために、閾値以内であるカテゴリ情報のうちの最上位階層のカテゴリ情報を取得する構成としているが、所定数以上の施設情報を取得する場合等のために、閾値以上のカテゴリ情報のうちの最下位階層のカテゴリ情報を取得するようにしてもよい。また、最上位階層・最下位階層のカテゴリ情報（１つのみ）に限定せず、閾値以内／以上のカテゴリ情報を、全て又はその中のいくつか、を取得するようにしてもよい。
【００９６】
［施設情報切替処理］
つづいて、上述した施設情報提供システムの処理において、端末装置１００の施設情報出力処理（ステップＳＡ−９）の具体例として、施設情報切替処理の一例について、以下に図６から図１０を参照して説明する。この施設情報切替処理においては、端末装置１００の施設情報出力部１０２ｅの処理により、利用者の特徴情報の選択に従って、表示する施設情報を切り替える処理を行う。図６は、施設情報切替処理の一例を示すフローチャートであり、図７から図１０は、端末装置１００の出力部１１４に表示される表示画面の一例を示す図である。 
【００９７】
上述したステップＳＡ−１において、利用者が入力部１１６を介して、一例として図７に示す表示画面のキーワード入力領域ＭＡ−１に検索キーワードを入力し、検索ボタンＭＡ−２を押下（クリック等）すると、上述したステップＳＡ−２〜ＳＡ−７の処理が実行される。 
【００９８】
そして、図６に示すように、施設情報受信部１０２ｄが、検索キーワードに基づいて検索された第二施設情報を含む施設情報を受信すると（ステップＳＡ−８）、端末装置１００の施設情報出力部１０２ｅは、施設情報の出力処理を行う（ステップＳＡ−９）。 
【００９９】
この例では、まず、施設情報出力部１０２ｅの出力特徴情報設定部１０２ｆは、第二施設情報による複数の特徴情報から、出力対象とする特徴情報を設定する（ステップＳＡ−９１）。例えば、出力特徴情報設定部１０２ｆは、複数の特徴情報の中から、利用者に入力部１１６を介して選択させてもよい。一例として、出力特徴情報設定部１０２ｆは、複数の特徴情報を出力部１１４にリスト表示させ、利用者により入力部１１６を介して選択された特徴情報を設定してもよい。 
【０１００】
そして、施設情報出力部１０２ｅは、施設情報受信部１０２ｄにより受信された第一施設情報と、出力特徴情報設定部１０２ｆの処理により設定された特徴情報に対応する第二施設情報とを、出力部１１４に出力する（ステップＳＡ−９２）。ここで、図８は、施設情報出力部１０２ｅにより地図上に重畳表示される第一施設情報と第二施設情報の一例を示す図である。なお、図８から図１０において、実線の吹き出しは、第一施設情報の地点を示し、破線の吹き出しは、第二施設情報の地点を示している。 
【０１０１】
図８に示すように、この例では、検索キーワードとして「Ｍバーガー」が利用者により入力されたので、検索キーワード表示領域ＭＡ−３に、第一施設情報として表示中の施設が「Ｍバーガー」に関する検索結果であることが示される。すなわち、図８において、施設「Ａ」および施設「Ｂ」は、検索キーワード「Ｍバーガー」にヒットしたＰＯＩであり、第一施設情報の検索結果を示している。また、図８に示すように、この例では、初期の特徴情報として「ファストフード」が設定されていることが、表示分類プルダウンメニューＭＡ−４に示される。すなわち、図８において、施設「Ｃ」、施設「Ｄ」、および、施設「Ｅ」は、カテゴリ「ファストフード」に属するＰＯＩであり、第二施設情報の検索結果を示している。このように、施設情報出力部１０２ｅは、第一施設情報を第二施設情報に対して強調表示する等の態様により、第一施設情報と第二施設情報とを区別可能に出力部１１４に出力させてもよい。なお、出力特徴情報設定部１０２ｆは、各施設情報の特徴情報に対応付けられた優先度情報に基づいて、出力対象とする特徴情報を初期設定してもよい。例えば、出力特徴情報設定部１０２ｆは、複数の特徴情報の中から、最も優先度が上位の特徴情報を、検索対象として設定してもよい。この他、出力特徴情報設定部１０２ｆは、図５を用いて上述した例のごとく、特徴情報が含まれている施設情報の数に基づいて、出力対象とする特徴情報を設定してもよい。例えば、出力特徴情報設定部１０２ｆは、第二施設情報の検索結果として多くの施設が得られる特徴情報を設定してもよく、第一施設情報として特定された施設の中で多く共通する特徴情報を設定してもよい。 
【０１０２】
再び図６に戻り、出力特徴情報設定部１０２ｆは、利用者に入力部１１６を介して特徴情報（カテゴリ情報等）を選択するよう制御し、表示する施設情報を切り替えるか否かを判定する（ステップＳＡ−９３）。例えば、図９に示すように、出力特徴情報設定部１０２ｆは、利用者により入力部１１６を介して表示分類プルダウンメニューＭＡ−４が押下されると、選択可能な表示分類の選択項目を一覧表示させる。図９に示すように、この例では、初期設定されたカテゴリ「ファストフード」に対して、属性「２４時間営業」、属性「喫煙ＯＫ」、および、属性「予算１０００円以内」が選択可能に表示される。 
【０１０３】
再び図６に戻り、出力特徴情報設定部１０２ｆは、利用者により特徴情報が選択されると施設情報の切り替えると判定し（ステップＳＡ−９３，Ｙｅｓ）、選択された特徴情報を出力対象として再設定して（ステップＳＡ−９１）、上述した処理を繰り返す。ここで、図１０は、図９で一覧表示された選択項目のうち、利用者により属性「２４時間営業」が選択されたことにより、切り替えられた施設情報の表示例を示している。 
【０１０４】
図１０に示すように、特徴情報が選択されても施設「Ａ」および「Ｂ」の第一施設情報による表示に変化はないが、施設情報出力部１０２ｅの処理により、カテゴリ「ファストフード」に属するとして表示されていた施設「Ｃ」〜「Ｅ」の第二施設情報は、選択された属性「２４時間営業」に属する施設「Ｆ」および「Ｇ」の第二施設情報に、切り替わって表示される。なお、出力特徴情報設定部１０２ｆは、利用者により選択された特徴情報を記憶部１０６に格納しておき、次回以降、記憶部１０６に格納された特徴情報を利用者の嗜好を反映するものとして初期設定してもよい。また、出力特徴情報設定部１０２ｆは、設定した特徴情報をサーバ装置２００に送信して、上述した検索特徴情報設定部２０２ｄの処理により、検索前に特徴情報を設定させてもよい。出力特徴情報設定部１０２ｆは、利用者により入力部１１６を介して、受信した第二施設情報にはない特徴情報が入力された場合、検索入力情報送信部１０２ｃに、当該特徴情報を切換要求として示す検索入力情報をサーバ装置２００に送信させ、再検索された施設情報を施設情報受信部１０２ｄにより受信させてもよい。 
【０１０５】
出力特徴情報設定部１０２ｆが施設情報の切り替えを判定しなければ（ステップＳＡ−９３，Ｎｏ）、端末装置１００は、処理を終える。 
【０１０６】
以上で、第１の実施形態における施設情報提供システムの処理の説明を終える。 
【０１０７】
［第２の実施形態］
続いて、本発明の第２の実施形態（サーバ装置２００（サーバ主導型））について、図１１および図１２を参照して説明する。ここで、図１１は、第２の実施形態におけるサーバ装置２００の構成の一例を示すブロック図であり、該構成のうち本発明に関係する部分のみを概念的に示している。 
【０１０８】
なお、第２の実施形態においては、サーバ装置２００にて端末装置１００の出力部１１４に表示させるデータを生成し、これらのデータを端末装置１００に送信することにより、当該端末装置１００の出力部１１４を機能させている。このように、第２の実施形態は、サーバ装置２００にてサーバ主導で処理を行う点がその他の実施形態と異なる。 
【０１０９】
［サーバ装置２００（サーバ主導型）の構成］
まず、第２の実施形態におけるサーバ装置２００（サーバ主導型）の構成の一例について、図１１を参照して説明する。
【０１１０】
図１１に示すように、本発明の第２の実施形態のサーバ装置２００は、位置取得部１１２と出力部１１４と入力部１１６とを備えた端末装置１００に通信可能に接続され、制御部２０２と記憶部２０６とを備える。通信には、一例として、ネットワーク３００を介した有線・無線通信等の遠隔通信等を含む。また、これらサーバ装置２００および端末装置１００の各部は任意の通信路を介して通信可能に接続されている。 
【０１１１】
図１１において、サーバ装置２００は、端末装置１００から送信される、所望の施設を検索するために予め入力された検索入力情報を受信し、記憶部２０６に記憶された複数の施設情報から、検索入力情報が施設識別情報または特徴情報に含まれている施設情報である第一施設情報を検索し、検索した第一施設情報から特徴情報を取得し、記憶部２０６に記憶された複数の施設情報から、取得した特徴情報と同じものを含む施設情報である第二施設情報を検索し、検索した第二施設情報を含む施設情報を出力させるための出力制御情報を端末装置１００に送信することにより、当該施設情報を出力部１１４に出力させる等の機能を有する。 
【０１１２】
なお、サーバ装置２００における通信制御インターフェース部２０４および記憶部２０６（具体的には、地図データベース２０６ａ、および、施設データベース２０６ｂ等）の機能、また、端末装置１００における位置取得部１１２、出力部１１４、および、入力部１１６の機能は、第１の実施形態と同様であるため説明を省略する。 
【０１１３】
また、図１１において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、第一検索部２０２ｂ、特徴情報取得部２０２ｃ、第二検索部２０２ｅ、現在位置情報取得部２０２ｇ、検索入力情報取得部２０２ｈ、および、施設情報出力制御部２０２ｊを備える。なお、第一検索部２０２ｂ、特徴情報取得部２０２ｃ、および、第二検索部２０２ｅの機能は、第１の実施形態と同様であるため説明を省略する。 
【０１１４】
このうち、現在位置情報取得部２０２ｇは、端末装置１００の利用者の現在位置情報を取得する現在位置情報取得手段である。例えば、現在位置情報取得部２０２ｇは、端末装置１００の位置取得部１１２にて位置発信装置５００から受信した位置情報信号を端末装置１００から受信し、当該位置情報信号から算出した位置情報を端末装置１００の利用者の現在位置情報として取得してもよい。また、現在位置情報取得部２０２ｇは、利用者により端末装置１００の入力部１１６を介して入力された現在位置についての位置座標等の位置情報を受信し、当該位置情報を端末装置１００の利用者の現在位置情報として取得してもよい。なお、現在位置情報取得部２０２ｇは、現在位置情報を所定時間（所定周期）ごと（例えば、１秒ごと、または、３分ごと等）に取得してもよい。ここで、現在位置情報取得部１０２ａは、入力部１１６を介して利用者に出力部１１４に表示された地図情報に基づく表示画面上で指定（例えば、タッチパネル式の出力部１１４での指定操作等）させた座標を端末装置１００の利用者の現在位置情報として取得してもよい。一例として、現在位置情報取得部１０２ａは、出力部１１４に表示された地図の表示画面の中心座標や縮尺など、表示中の地図の表示領域や範囲を規定する情報を、現在位置情報として取得してもよい。 
【０１１５】
また、検索入力情報取得部２０２ｈは、所望の施設を検索するための検索入力情報を取得する検索入力情報取得手段である。例えば、検索入力情報取得部２０２ｈは、利用者により入力部１１６を介して入力された入力信号を受信して、受信した入力信号に基づいて検索キーワード等の文字データを検索入力情報として取得してもよい。また、検索入力情報取得部２０２ｈは、マイク等の入力部１１６を介して利用者により音声入力された音声入力信号を受信して、受信した音声入力信号を音声認識処理等により文字データに変換することにより、検索入力情報を取得してもよい。また、検索入力情報取得部２０２ｈは、カテゴリ等の一覧を表示した表示画面を含む出力制御情報を端末装置１００に送信することにより、当該表示画面を出力部１１４に表示させ、入力部１１６を介して利用者により選択された座標等の信号を受信して、当該座標に対応する表示画面上のカテゴリ等を検索入力情報として取得してもよい。 
【０１１６】
また、施設情報出力制御部２０２ｊは、第二検索部２０２ｅにより検索された第二施設情報を含む施設情報を出力させるための出力制御情報を端末装置１００に送信することにより、当該施設情報を出力部１１４に出力させる施設情報出力制御手段である。ここで、施設情報出力制御部２０２ｊは、第一検索部２０２ｂにより検索された第一施設情報を施設情報に含めて出力制御情報を生成してもよい。施設情報出力制御部２０２ｊは、第一施設情報と第二施設情報とが区別可能に出力されるように制御する出力制御情報を生成してもよい。例えば、施設情報出力制御部２０２ｊは、ディスプレイ等の出力部１１４の表示画面上において、施設の色や大きさや表示態様（点滅など）等を第一施設情報と第二施設情報の間で変更させた表示画面を含む出力制御情報を生成してもよい。また、施設情報出力制御部２０２ｊは、スピーカ等の出力部１１４の音声出力において、音程や声色等を第一施設情報と第二施設情報の間で変更させた音声データを含む出力制御情報を生成してもよい。ここで、施設情報出力制御部２０２ｊは、地図データベース２０６ａに記憶される対応する地図データ上に、施設情報を重畳させた表示画面を含む出力制御情報を生成してもよい。また、施設情報出力制御部２０２ｊは、現在位置情報取得部２０２ｇにより取得される現在位置情報の更新に応じて、地図データ上に現在位置マーク等を表示してもよく、地図データの中心座標を現在位置に変更してもよい。ここで、図１１に示すように、施設情報出力制御部２０２ｊは、出力特徴情報設定部２０２ｋを更に備えてもよい。 
【０１１７】
出力特徴情報設定部２０２ｋは、第二検索部２０２ｅにより検索された第二施設情報が複数の特徴情報を含む場合に、当該複数の特徴情報から、出力対象とする特徴情報を設定する出力特徴情報設定手段である。例えば、出力特徴情報設定部２０２ｋは、サーバ装置２００の第二検索部２０２ｅにより検索された第二施設情報において、複数の特徴情報に属する施設情報がある場合や、複数の施設が特定された場合等において、出力対象とする特徴情報を絞り込んでもよい（第二検索部２０２ｅによる検索後の絞込み）。また、出力特徴情報設定部２０２ｋは、各施設情報の特徴情報に対応付けられた優先度情報に基づいて、出力対象とする特徴情報を設定してもよい。例えば、出力特徴情報設定部２０２ｋは、複数の特徴情報の中から、最も優先度が上位の特徴情報を、検索対象として設定してもよい。この他、出力特徴情報設定部２０２ｋは、特徴情報が含まれている施設情報の数に基づいて、出力対象とする特徴情報を設定してもよい。例えば、施設特徴情報設定部２０２ｋは、第二施設情報の検索結果として多くの施設が得られる特徴情報を設定してもよく、第一施設情報として特定された施設の中で共通する特徴情報を設定してもよい。なお、出力特徴情報設定部２０２ｋは、複数の特徴情報の中から、利用者に入力部１１６を介して選択させるよう制御してもよい。例えば、出力特徴情報設定部２０２ｋは、複数の特徴情報をリスト表示させた表示画面を含む出力制御情報を端末装置１００に送信することにより、出力部１１４に特徴情報のリストを表示させ、利用者により入力部１１６を介して入力された座標等の信号を受信することにより、当該座標に対応する表示画面上の特徴情報を設定してもよい。なお、出力特徴情報設定部２０２ｋは、利用者により選択された特徴情報を記憶部２０６に格納しておき、次回以降、記憶部２０６に格納された特徴情報を利用者の嗜好を反映するものとして設定してもよい。また、出力特徴情報設定部２０２ｋは、利用者により第二施設情報にはない特徴情報が入力された場合、第二検索部２０２ｅに再検索させてもよい。 
【０１１８】
以上で、第２の実施形態におけるサーバ装置２００の構成の一例の説明を終える。 
【０１１９】
［サーバ装置２００（サーバ主導型）の処理］
次に、このように構成された第２の実施形態におけるサーバ装置２００の処理の一例について、図１２を参照して詳細に説明する。図１２は、第２の実施形態におけるサーバ装置２００の処理の一例を示すフローチャートである。なお、上述した第１の実施形態と同様な説明については、省略する場合がある。 
【０１２０】
図１２に示すように、まず、サーバ装置２００の検索入力情報取得部２０２ｈは、端末装置１００から送信される（ステップＳＣ−１）、利用者により入力部１１６を介して入力された入力信号を受信して、受信した入力信号に対応する検索入力情報を取得する（ステップＳＣ−２）。なお、検索入力情報取得部２０２ｈは、マイク等の入力部１１６を介して利用者により音声入力された音声入力信号を受信して、受信した音声入力信号を音声認識処理等により文字データに変換することにより、検索入力情報を取得してもよい。また、検索入力情報取得部２０２ｈは、カテゴリ等の一覧を表示した表示画面を含む出力制御情報を端末装置１００に送信することにより、当該表示画面を出力部１１４に表示させ、入力部１１６を介して利用者により選択された座標等の信号を受信して、当該座標に対応する表示画面上のカテゴリ等を検索入力情報として取得してもよい。 
【０１２１】
そして、上述した第１の実施形態と同様に、サーバ装置２００は、第一検索部２０２ｂの処理により、第一施設情報を検索し（ステップＳＣ−３）、特徴情報取得部２０２ｃの処理により、第一検索部２０２ｂにより検索された第一施設情報から特徴情報を取得し（ステップＳＣ−４）、第二検索部２０２ｅの処理により、第二施設情報を検索する（ステップＳＣ−５）。 
【０１２２】
そして、サーバ装置２００の施設情報出力制御部２０２ｊは、第二検索部２０２ｅにより検索された第二施設情報を含む施設情報を出力させるための出力制御情報を生成する（ステップＳＣ−６）。ここで、施設情報出力制御部２０２ｊは、更に、第一検索部２０２ｂにより検索された第一施設情報を含む施設情報を出力させるための出力制御情報を生成してもよい。また、施設情報出力制御部２０２ｊは、第一施設情報と第二施設情報とが区別可能に出力されるように制御する出力制御情報を生成してもよい。例えば、施設情報出力制御部２０２ｊは、ディスプレイ等の出力部１１４の表示画面上において、施設の色や大きさや表示態様（点滅など）等を第一施設情報と第二施設情報の間で変更させた表示画面を含む出力制御情報を生成してもよい。また、施設情報出力制御部２０２ｊは、スピーカ等の出力部１１４の音声出力において、音程や声色等を第一施設情報と第二施設情報の間で変更させた音声データを含む出力制御情報を生成してもよい。ここで、施設情報出力制御部２０２ｊは、地図データベース２０６ａに記憶される対応する地図データ上に、施設情報を重畳させた表示画面を含む出力制御情報を生成してもよい。また、施設情報出力制御部２０２ｊは、現在位置情報取得部２０２ｇにより取得される現在位置情報の更新に応じて、地図データ上に現在位置マーク等を表示してもよく、地図データの中心座標を現在位置に変更してもよい。ここで、施設情報出力制御部２０２ｊは、第二検索部２０２ｅにより検索された第二施設情報が複数の特徴情報を含む場合に、出力特徴情報設定部２０２ｋの処理により、当該複数の特徴情報から、出力対象とする特徴情報を設定してもよい。出力特徴情報設定部２０２ｋの処理による具体的な処理内容は、出力特徴情報設定部２０２ｋの構成において上述したので説明を省略する。 
【０１２３】
そして、施設情報出力制御部２０２ｊは、生成した出力制御情報を端末装置１００に送信することにより（ステップＳＣ−７）、当該施設情報を出力部１１４に出力させる（ステップＳＣ−８）。 
【０１２４】
以上で、第２の実施形態におけるサーバ装置２００の処理の一例の説明を終える。 
【０１２５】
［第３の実施形態］
続いて、本発明の第３の実施形態（施設情報提供装置４００（スタンドアローン型））について、図１３および図１４を参照して説明する。ここで、図１３は、第３の実施形態における施設情報提供装置４００の構成の一例を示すブロック図であり、該構成のうち本発明に関係する部分のみを概念的に示している。 
【０１２６】
なお、第３の実施形態においては、全ての機能を施設情報提供装置４００に集約し、施設を識別するための施設識別情報と施設の特徴に関する特徴情報とを含む複数の施設情報を記憶部４０６に記憶し、記憶部４０６に記憶された複数の施設情報から、所望の施設を検索するために予め入力された検索入力情報が施設識別情報または特徴情報に含まれている施設情報である第一施設情報を検索し、検索した第一施設情報から特徴情報を取得し、記憶部４０６に記憶された複数の施設情報から、取得した特徴情報と同じものを含む施設情報である第二施設情報を検索し、検索した第二施設情報を出力部４１４に出力させる等の機能を有する。このように、第３の実施形態は、施設情報提供装置４００がスタンドアローン型に構成され単独で処理を行う点がその他の実施形態と異なる。 
【０１２７】
［施設情報提供装置４００（スタンドアローン型）の構成］
まず、第３の実施形態における施設情報提供装置４００（スタンドアローン型）の構成の一例について、図１３を参照して説明する。 
【０１２８】
図１３に示すように、本発明の第３の実施形態の施設情報提供装置４００は、位置取得部４１２と出力部４１４と入力部４１６と制御部４０２と記憶部４０６とを備える。これら施設情報提供装置４００の各部は任意の通信路を介して通信可能に接続されてもよい。施設情報提供装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、施設情報提供装置４００は、通信制御インターフェース部（図示せず）を介してネットワーク３００を経由し、外部装置と相互に通信可能に接続されていてもよい。 
【０１２９】
図１３において、入出力制御インターフェース部４０８、位置取得部４１２、出力部４１４、および、入力部４１６の各機能は、第１の実施形態および第２の実施形態と同様であるため説明を省略する。また、記憶部４０６の各部（地図データベース４０６ａ、および、施設データベース４０６ｂ等）についても、サーバ装置２００ではなく施設情報提供装置４００に備えられている点を除き、各機能が第１の実施形態および第２の実施形態と同様であるため説明を省略する。 
【０１３０】
また、制御部４０２の各部については、本実施形態の施設情報提供装置４００がスタンドアローン型であり、制御部４０２が各送受信部を備えていない点を除き、各機能は第１の実施形態および第２の実施形態と基本的に同様である。 
【０１３１】
また、図１３において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、検索入力情報取得部４０２ｂ、第一検索部４０２ｃ、特徴情報取得部４０２ｄ、第二検索部４０２ｆ、および、施設情報出力部４０２ｇを備える。このうち、現在位置情報取得部４０２ａ、検索入力情報取得部４０２ｂ、特徴情報取得部４０２ｄ、および、第二検索部４０２ｆの機能は、第１の実施形態における、現在位置情報取得部１０２ａ、検索入力情報取得部１０２ｂ、特徴情報取得部２０２ｃ、および、第二検索部２０２ｅの機能と同様であるので説明を省略する。 
【０１３２】
第一検索部４０２ｃは、施設データベース４０６ｂに記憶された複数の施設情報から、検索入力情報取得部４０２ｂにより取得された検索入力情報が施設識別情報または特徴情報に含まれている施設情報である第一施設情報を検索する第一検索手段である。例えば、第一検索部４０２ｃは、検索キーワード等の検索入力情報に一致または対応する施設情報を、施設データベース４０６ｂから検索することにより、第一施設情報を取得してもよい。ここで、検索キーワード等の検索入力情報は、施設識別情報または特徴情報の一方に含まれていればよく、両方に含まれていてもよい。なお、検索入力情報に現在位置情報が含まれる場合、第一検索部４０２ｃは、施設データベース４０６ｂに記憶される施設情報の緯度経度等を参照して、現在位置情報が規定する現在位置から所定の範囲（地図表示領域等）に存在する施設（ＰＯＩ）に絞り込んで第一施設情報の検索を行ってもよい。 
【０１３３】
また、施設情報出力部４０２ｇは、第二検索部４０２ｆにより検索された第二施設情報を出力部４１４に出力させる施設情報出力手段である。ここで、施設情報出力部４０２ｇは、第一検索部４０２ｃにより検索された第一施設情報を出力部４１４に出力させてもよい。また、施設情報出力部４０２ｇは、第一施設情報と第二施設情報とを区別可能に出力部４１４に出力させてもよい。例えば、施設情報出力部４０２ｇは、ディスプレイ等の出力部４１４の表示画面上において、施設の色や大きさや表示態様（点滅など）等を第一施設情報と第二施設情報の間で変更してもよく、スピーカ等の出力部４１４の音声出力において、音程や声色等を第一施設情報と第二施設情報の間で変更してもよい。ここで、施設情報出力部４０２ｇは、第一施設情報または第二施設情報による地点を含む地図データを地図データベース４０６ａから取得し、取得した地図データ上に各施設情報を重畳させて出力部４１４に表示させてもよい。また、施設情報出力部４０２ｇは、現在位置情報取得部４０２ａにより取得される現在位置情報の更新に応じて、地図データ上に現在位置マーク等を表示してもよく、地図データの中心座標を現在位置に変更してもよい。ここで、図１３に示すように、施設情報出力部４０２ｇは、出力特徴情報設定部４０２ｈを更に備えてもよい。 
【０１３４】
出力特徴情報設定部４０２ｈは、第二施設情報が複数の特徴情報を含む場合に、当該複数の特徴情報から、出力対象とする特徴情報を設定する出力特徴情報設定手段である。例えば、出力特徴情報設定部４０２ｈは、第二検索部４０２ｆにより検索された第二施設情報において、複数の特徴情報に属する施設情報がある場合や、複数の施設が特定された場合等において、出力対象とする特徴情報を絞り込んでもよい。また、出力特徴情報設定部４０２ｈは、各施設情報の特徴情報に対応付けられた優先度情報に基づいて、出力対象とする特徴情報を設定してもよい。例えば、出力特徴情報設定部４０２ｈは、複数の特徴情報の中から、最も優先度が上位の特徴情報を、検索対象として設定してもよい。この他、出力特徴情報設定部４０２ｈは、特徴情報が含まれている施設情報の数に基づいて、出力対象とする特徴情報を設定してもよい。例えば、出力特徴情報設定部４０２ｈは、第二施設情報の検索結果として多くの施設が得られる特徴情報を設定してもよく、第一施設情報として特定された施設の中で共通する特徴情報を設定してもよい。なお、出力特徴情報設定部４０２ｈは、複数の特徴情報の中から、利用者に入力部４１６を介して選択させてもよい。例えば、出力特徴情報設定部４０２ｈは、複数の特徴情報を出力部４１４にリスト表示させ、利用者により入力部４１６を介して選択された特徴情報を設定してもよい。なお、出力特徴情報設定部４０２ｈは、利用者により選択された特徴情報を記憶部４０６に格納しておき、次回以降、記憶部４０６に格納された特徴情報を利用者の嗜好を反映するものとして設定してもよく、また、検索特徴情報設定部４０２ｅに設定させてもよい。出力特徴情報設定部４０２ｈは、利用者により入力部４１６を介して、第二施設情報にはない特徴情報が入力された場合、第二検索部４０２ｆに再検索させてもよい。 
【０１３５】
以上で、第３の実施形態における施設情報提供装置４００の構成の一例の説明を終える。 
【０１３６】
［施設情報提供装置４００（スタンドアローン型）の処理］
次に、このように構成された第３の実施形態における施設情報提供装置４００の処理の一例について、図１４を参照して詳細に説明する。図１４は、第３の実施形態における施設情報提供装置４００の処理の一例を示すフローチャートである。また、上述した第１の実施形態および第２の実施形態と同様な説明については、省略する場合がある。 
【０１３７】
図１４に示すように、まず、検索入力情報取得部４０２ｂは、所望の施設を検索するための検索入力情報を取得する（ステップＳＤ−１）。例えば、検索入力情報取得部４０２ｂは、利用者に入力部４１６を介して、フリーワード入力等により検索キーワードを入力させ、入力された文字データを検索入力情報として取得してもよい。また、検索入力情報取得部４０２ｂは、マイク等の入力部４１６を介して、利用者が音声入力を行うよう制御し、音声認識処理等を行うことにより文字データに変換した検索入力情報を取得してもよい。また、検索入力情報取得部４０２ｂは、カテゴリ等の一覧を出力部４１４にリスト表示させ、入力部４１６を介して利用者により選択されたカテゴリ等を検索入力情報として取得してもよい。 
【０１３８】
そして、第一検索部４０２ｃは、施設データベース４０６ｂに記憶された複数の施設情報から、検索入力情報取得部４０２ｂにより取得された検索入力情報が施設識別情報または特徴情報に含まれている施設情報である第一施設情報を検索する（ステップＳＤ−２）。例えば、第一検索部４０２ｃは、検索キーワード等の検索入力情報に一致または対応する施設情報を、施設データベース４０６ｂから検索することにより、第一施設情報を取得してもよい。ここで、第一検索部４０２ｃは、施設データベース４０６ｂに記憶される施設情報の緯度経度等を参照して、現在位置情報取得部４０２ａにより取得される現在位置情報が規定する現在位置から所定の範囲に存在する施設（ＰＯＩ）に絞り込んで第一施設情報の検索を行ってもよい。なお、現在位置情報取得部４０２ａは、出力部４１４に表示中の地図の表示領域や範囲を規定する情報（中心座標や縮尺等）を、現在位置情報として取得してもよい。 
【０１３９】
そして、特徴情報取得部４０２ｄは、第一検索部４０２ｃにより検索された第一施設情報から特徴情報を取得する（ステップＳＤ−３）。例えば、特徴情報取得部４０２ｄは、第一検索部４０２ｃにより第一施設情報として検索された、施設データベース４０６ｂに記憶された施設情報に含まれる特徴情報を取得してもよい。ここで、特徴情報取得部４０２ｄは、各々の特徴情報（カテゴリ情報や属性情報等）が含まれている施設情報の数に基づいて、第一施設情報から少なくとも一つのカテゴリ情報を取得してもよい。一例として、特徴情報取得部４０２ｄは、所定数以内の数の施設情報を含む特徴情報（カテゴリ情報等）を選択して取得してもよい。このほか、特徴情報取得部４０２ｄは、複数の施設情報の中で、施設数が最も少ないもの（最も下位概念にあたるカテゴリ情報）や、地域や範囲を考慮した施設数に基づくもの（検索入力情報に含まれる現在位置情報に基づいて現在位置から３ｋｍ以内での施設など）に関する特徴情報を取得してもよい。なお、特徴情報取得部４０２ｄは、検索特徴情報設定部４０２ｅの処理により、第一検索部４０２ｃにより検索された第一施設情報から特徴情報が複数取得される場合に、当該複数の特徴情報から、第二検索部４０２ｆによる検索対象とする特徴情報を設定してもよい。検索特徴情報設定部４０２ｅの処理の詳細については、第１の実施形態と同様であるので説明を省略する。 
【０１４０】
そして、第二検索部４０２ｆは、施設データベース４０６ｂに記憶された複数の施設情報から、特徴情報取得部４０２ｄにより取得された特徴情報（検索特徴情報設定部４０２ｅにより設定された特徴情報等）と同じものを含む施設情報である第二施設情報を検索する（ステップＳＤ−４）。例えば、第二検索部４０２ｆは、特徴情報取得部４０２ｄにより取得された特徴情報に一致または対応する特徴情報をもつ施設情報を、施設データベース４０６ｂから検索することにより、第二施設情報を取得してもよい。なお、検索入力情報に現在位置情報が含まれる場合、第二検索部４０２ｆは、施設データベース４０６ｂに記憶される施設情報の緯度経度等を参照して、現在位置情報が規定する現在位置から所定の範囲（地図表示領域等）に存在する施設（ＰＯＩ）に絞り込んで第二施設情報の検索を行ってもよい。 
【０１４１】
そして、施設情報出力部４０２ｇは、第二検索部４０２ｆにより検索された第二施設情報を出力部４１４に出力させる（ステップＳＤ−５）。ここで、施設情報出力部４０２ｇは、第一検索部４０２ｃにより検索された第一施設情報を出力部４１４に出力させてもよい。また、施設情報出力部４０２ｇは、第一施設情報と第二施設情報とを区別可能に出力部４１４に出力させてもよい。例えば、施設情報出力部４０２ｇは、ディスプレイ等の出力部４１４の表示画面上において、施設の色や大きさや表示態様（点滅など）等を第一施設情報と第二施設情報の間で変更してもよく、スピーカ等の出力部４１４の音声出力において、音程や声色等を第一施設情報と第二施設情報の間で変更してもよい。ここで、施設情報出力部４０２ｇは、地図データベース４０６ａに記憶される地図データ上に、第一施設情報または第二施設情報を重畳させて出力部４１４に表示させてもよい。また、施設情報出力部４０２ｇは、現在位置情報取得部４０２ａにより取得される現在位置情報の更新に応じて、地図データ上に現在位置マーク等を表示してもよく、地図データの中心座標を現在位置に変更してもよい。また、施設情報出力部４０２ｇは、出力特徴情報設定部４０２ｈの処理により、第二施設情報が複数の特徴情報を含む場合に、当該複数の特徴情報から、出力対象とする特徴情報を設定してもよい。なお、出力特徴情報設定部４０２ｈの処理の詳細（例えば施設情報切替処理）については、第一の実施形態と同様であるので、説明を省略する。 
【０１４２】
以上で、第３の実施形態における施設情報提供装置４００の処理の一例の説明を終える。 
【０１４３】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。 
【０１４４】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。 
【０１４５】
このほか、上記文献中や図面中で示した処理手順、制御手順、具体的名称、各処理の登録データや検索条件等のパラメータを含む情報、画面例、データベース構成については、特記する場合を除いて任意に変更することができる。 
【０１４６】
また、端末装置１００、サーバ装置２００、および、施設情報提供装置４００に関して、図示の各構成要素は機能概念的なものであり、必ずしも物理的に図示の如く構成されていることを要しない。 
【０１４７】
例えば、端末装置１００、サーバ装置２００、および、施設情報提供装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、施設情報提供装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。 
【０１４８】
また、このコンピュータプログラムは、端末装置１００、サーバ装置２００、および、施設情報提供装置４００に対して任意のネットワーク３００を介して接続されたアプリケーションプログラムサーバに記憶されていてもよく、必要に応じてその全部または一部をダウンロードすることも可能である。 
【０１４９】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１５０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。 
【０１５１】
記憶部１０６、記憶部２０６、および、記憶部４０６に格納される各種のデータベース等（施設情報ファイル１０６ａ、地図データベース２０６ａ，４０６ａ、および、施設データベース２０６ｂ，４０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。 
【０１５２】
また、端末装置１００、サーバ装置２００、および、施設情報提供装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、施設情報提供装置４００は、該情報処理装置に本発明の方法を実現させるソフトウェア（プログラム、データ等を含む）を実装することにより実現してもよい。 
【０１５３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。 
【産業上の利用可能性】
【０１５４】
以上詳述したように、本発明によれば、利用者が望む施設情報を広く提供することができる、施設情報提供装置、施設情報提供システム、サーバ装置、端末装置、施設情報提供方法、および、プログラムを提供することができるので、ナビゲーションを支援する情報機器や情報処理分野などの様々な分野において極めて有用である。 
【符号の説明】
【０１５５】
１００  端末装置
１０２  制御部
１０２ａ  現在位置情報取得部
１０２ｂ  検索入力情報取得部
１０２ｃ  検索入力情報送信部
１０２ｄ  施設情報受信部
１０２ｅ  施設情報出力部
１０２ｆ  出力特徴情報設定部
１０４  通信制御インターフェース部
１０６  記憶部
１０６ａ  施設情報ファイル
１０８  入出力制御インターフェース部
１１２  位置取得部
１１４  出力部
１１６  入力部
２００  サーバ装置
２０２  制御部
２０２ａ  検索入力情報受信部
２０２ｂ  第一検索部
２０２ｃ  特徴情報取得部
２０２ｄ  検索特徴情報設定部
２０２ｅ  第二検索部
２０２ｆ  施設情報送信部
２０２ｇ  現在位置情報取得部
２０２ｈ  検索入力情報取得部
２０２ｊ  施設情報出力制御部
２０２ｋ  出力特徴情報設定部
２０４  通信制御インターフェース部
２０６  記憶部
２０６ａ  地図データベース
２０６ｂ  施設データベース
３００  ネットワーク
４００  施設情報提供装置
４０２  制御部
４０２ａ  現在位置情報取得部
４０２ｂ  検索入力情報取得部
４０２ｃ  第一検索部
４０２ｄ  特徴情報取得部
４０２ｅ  検索特徴情報設定部
４０２ｆ  第二検索部
４０２ｇ  施設情報出力部
４０２ｈ  出力特徴情報設定部
４０６  記憶部
４０６ａ  地図データベース
４０６ｂ  施設データベース
４０８  入出力制御インターフェース部
４１２  位置取得部
４１４  出力部
４１６  入力部
５００  位置発信装置
【図１】
0006470244.tif 000002
【図２】
0006470244.tif 000003
【図３】
0006470244.tif 000004
【図４】
0006470244.tif 000005
【図５】
0006470244.tif 000006
【図６】
0006470244.tif 000007
【図７】
0006470244.tif 000008
【図８】
0006470244.tif 000009
【図９】
0006470244.tif 000010
【図１０】
0006470244.tif 000011
【図１１】
0006470244.tif 000012
【図１２】
0006470244.tif 000013
【図１３】
0006470244.tif 000014
【図１４】
0006470244.tif 000015